(57)【要約】【課題】システムの構成機器数の増加を招くことなく、多くのカメラ等を設置することができるとともに、ユーザが所望するイベントに係る映像を迅速かつ容易に確認することができるようにする。【解決手段】操作受付部４３により設定が受け付けられた検索条件に合致するイベント情報を検索するイベント情報検索部２３と、イベント情報検索部２３により検索されたイベント情報に対応する映像情報を示すイベント属性情報を取得するイベント属性情報取得部２５とを設け、映像情報送信部１４が映像情報保存部１１からイベント属性情報取得部２５により取得されたイベント属性情報が示す映像情報を取得し、その映像情報を映像取得センタ３に送信する。【選択図】図１
2010272948.tif 000002
【特許請求の範囲】
【請求項１】
監視対象が撮影されている映像を示す映像情報を保存する映像情報保存手段と、上記監視対象に関するイベントを示すイベント情報を保存するとともに、上記イベント情報に対応する映像情報を示すイベント属性情報を保存するイベント情報保存手段と、所望のイベント情報の検索に用いる検索条件の設定を受け付ける検索条件設定受付手段と、上記イベント情報保存手段により保存されているイベント情報の中から、上記検索条件設定受付手段により設定が受け付けられた検索条件に合致するイベント情報を検索するイベント情報検索手段と、上記イベント情報保存手段により保存されているイベント属性情報の中から、上記イベント情報検索手段により検索されたイベント情報に対応する映像情報を示すイベント属性情報を取得するイベント属性情報取得手段と、上記イベント属性情報取得手段により取得されたイベント属性情報を参照して、上記映像情報保存手段により保存されている映像情報の中から、上記イベント情報検索手段により検索されたイベント情報に対応する映像情報を取得し、上記映像情報を送信する映像情報送信手段とを備えた遠隔映像取得システム。
【請求項２】
イベント情報検索手段は、イベント情報保存手段により保存されるイベント属性情報として、イベント情報の種別を示す種別情報、上記イベント情報を特定する識別情報又は上記イベント情報の時刻に関する時刻情報が含まれている場合、検索条件設定受付手段により設定が受け付けられた検索条件と上記イベント属性情報を照合して、上記検索条件に合致するイベント情報を検索することを特徴とする請求項１記載の遠隔映像取得システム。
【請求項３】
監視対象が撮影されている映像を示す映像情報を保存している監視拠点と、上記監視対象により保存されている映像情報を取得する映像取得センタとがネットワークを通じて接続されている場合、映像情報保存手段、イベント情報保存手段、イベント情報検索手段、イベント属性情報取得手段及び映像情報送信手段が上記監視拠点に設置され、検索条件設定受付手段が上記映像取得センタに設置されていることを特徴とする請求項１または請求項２記載の遠隔映像取得システム。
【請求項４】
監視対象が撮影されている映像を示す映像情報を保存している監視拠点と、上記監視対象により保存されている映像情報を取得して、上記映像情報を転送する映像取得センタと、上記映像取得センタから転送された映像情報を取得する映像取得拠点とがネットワークを通じて接続されている場合、映像情報保存手段、イベント情報保存手段、イベント情報検索手段、イベント属性情報取得手段及び映像情報送信手段が上記監視拠点に設置され、検索条件設定受付手段が上記映像取得拠点に設置されており、上記映像情報送信手段から送信された映像情報を受信し、上記映像情報を上記映像取得拠点に転送する映像情報転送手段が上記映像取得センタに設置されていることを特徴とする請求項１または請求項２記載の遠隔映像取得システム。
【請求項５】
監視対象が撮影されている映像を示す映像情報を保存している監視拠点と、上記監視対象により保存されている映像情報を取得して、上記映像情報を転送する映像取得センタと、上記映像取得センタから転送された映像情報を取得する映像取得拠点とがネットワークを通じて接続されている場合、映像情報保存手段及び映像情報送信手段が上記監視拠点に設置され、イベント情報保存手段、イベント情報検索手段及びイベント属性情報取得手段が上記映像取得センタに設置され、検索条件設定受付手段が上記映像取得拠点に設置されており、上記映像情報送信手段から送信された映像情報を受信し、上記映像情報を上記映像取得拠点に転送する映像情報転送手段が上記映像取得センタに設置されていることを特徴とする請求項１または請求項２記載の遠隔映像取得システム。
【請求項６】
映像情報保存手段は、監視対象が撮影されている映像を示す映像情報を保存する映像情報保存部と、上記映像情報保存部における映像情報の保存位置を示す位置情報を管理する位置情報管理部とから構成されており、
イベント情報保存手段は、上記監視対象に関するイベントを示すイベント情報を保存するイベント情報保存部と、上記イベント情報保存部により保存されているイベント情報に対応する映像情報を示すイベント属性情報を保存するイベント属性情報保存部とから構成されており、
イベント情報検索手段は、上記イベント情報保存部により保存されているイベント情報の中から、検索条件設定受付手段により設定が受け付けられた検索条件に合致するイベント情報を検索し、
イベント属性情報取得手段は、上記イベント属性情報保存部により保存されているイベント属性情報の中から、上記イベント情報検索手段により検索されたイベント情報に対応する映像情報を示すイベント属性情報を取得し、
映像情報送信手段は、上記イベント属性情報取得手段により取得されたイベント属性情報を参照して、上記位置情報管理部から上記イベント情報検索手段により検索されたイベント情報に対応する映像情報の保存位置を示す位置情報を取得し、上記映像情報保存部により保存されている映像情報の中から、上記位置情報が示す位置に保存されている映像情報を取得する映像情報取得部と、上記映像情報取得部により取得された映像情報を送信する映像情報送信部とから構成されていることを特徴とする請求項３から請求項５のうちのいずれか１項記載の遠隔映像取得システム。
【請求項７】
イベント情報検索手段により検索された少なくとも１つ以上のイベント情報を送信するイベント情報送信手段と、上記イベント情報送信手段から送信されたイベント情報を受信するイベント情報受信手段と、上記イベント情報受信手段により受信された少なくとも１つ以上のイベント情報を表示して、所望のイベント情報の選択を受け付けるイベント情報選択受付手段と、上記イベント情報選択受付手段により選択が受け付けられたイベント情報を含む映像情報取得要求をイベント属性情報取得手段に送信する映像情報取得要求手段とを設け、
上記イベント属性情報取得手段は、上記イベント属性情報保存部により保存されているイベント属性情報の中から、上記映像情報取得要求手段から送信された映像情報取得要求に含まれているイベント情報に対応する映像情報を示すイベント属性情報を取得することを特徴とする請求項６記載の遠隔映像取得システム。
【請求項８】
イベント情報送信手段が監視拠点に設置され、イベント情報受信手段、イベント情報選択受付手段及び映像情報取得要求手段が映像取得センタに設置されていることを特徴とする請求項７記載の遠隔映像取得システム。
【請求項９】
イベント情報送信手段が監視拠点に設置され、上記イベント情報送信手段から送信されたイベント情報を受信して、上記イベント情報を映像取得拠点に転送するイベント情報転送手段が映像取得センタに設置され、イベント情報受信手段、イベント情報選択受付手段及び映像情報取得要求手段が映像取得拠点に設置されていることを特徴とする請求項７記載の遠隔映像取得システム。
【請求項１０】
イベント情報送信手段が映像取得センタに設置され、イベント情報受信手段、イベント情報選択受付手段及び映像情報取得要求手段が映像取得拠点に設置されていることを特徴とする請求項７記載の遠隔映像取得システム。
【請求項１１】
監視対象を撮影して、上記監視対象の映像を示す映像情報を生成する映像生成手段と、上記監視対象で発生するイベントを検知して、上記イベントを示すイベント情報を生成するイベント生成手段とが監視拠点に設置されていることを特徴とする請求項１から請求項１０のうちのいずれか１項記載の遠隔映像取得システム。
【請求項１２】
イベント情報保存手段のイベント属性情報保存部がイベント属性情報として、イベント情報と映像情報の対応関係の他に、イベント情報の時刻に関する時刻情報を保存している場合、
検索条件設定受付手段は、検索条件として、イベントの時刻の設定を受け付け、
イベント情報検索手段は、検索条件設定受付手段により設定が受け付けられた検索条件であるイベントの時刻と上記イベント属性情報である時刻情報を照合して、上記検索条件に合致するイベント情報を検索することを特徴とする請求項６から請求項１１のうちのいずれか１項記載の遠隔映像取得システム。
【請求項１３】
映像情報保存手段の位置情報管理部が位置情報の他に、映像情報の時刻に関する時刻情報を管理している場合、
検索条件設定受付手段は、検索条件として、イベントの時刻の設定を受け付け、
映像情報送信手段の映像情報取得部は、映像情報保存部により保存されている映像情報のうち、検索条件であるイベントの時刻と上記位置情報管理部により管理されている時刻情報を照合して、上記検索条件に合致する映像情報を取得することを特徴とする請求項６から請求項１２のうちのいずれか１項記載の遠隔映像取得システム。
【請求項１４】
内部時計の時刻を参照して、イベント情報及び映像情報の時刻情報を生成するとともに、上記内部時計の時刻を外部時計の時刻に合わせる時刻情報生成手段を設けたことを特徴とする請求項１３記載の遠隔映像取得システム。
【請求項１５】
イベント情報保存手段のイベント属性情報保存部により保存されている時刻情報が、イベント情報の生成時刻、イベント情報の取得時刻、あるいは、イベント情報の保存時刻を示す情報であることを特徴とする請求項１２記載の遠隔映像取得システム。
【請求項１６】
映像情報保存手段の位置情報管理部により管理されている時刻情報が、映像情報の生成時刻、映像情報の取得時刻、あるいは、映像情報の保存時刻を示す情報であることを特徴とする請求項１３記載の遠隔映像取得システム。
【請求項１７】
イベント情報送信手段がイベント情報検索手段により検索されたイベント情報を送信する際、上記イベント情報に対応する映像情報が示す映像の縮小画像を送信し、イベント情報選択受付手段が上記イベント情報と上記縮小画像を表示することを特徴とする請求項７から請求項１６のうちのいずれか１項記載の遠隔映像取得システム。
【請求項１８】
映像情報送信手段は、映像情報を送信する際、上記映像情報の間引き処理を実施し、間引き処理後の映像情報を送信することを特徴とする請求項１から請求項１７のうちのいずれか１項記載の遠隔映像取得システム。
【請求項１９】
映像情報送信手段は、映像情報を送信する際、上記映像情報の圧縮処理を実施し、圧縮処理後の映像情報を送信することを特徴とする請求項１から請求項１７のうちのいずれか１項記載の遠隔映像取得システム。
【請求項２０】
イベント生成手段は、映像情報が示す映像を解析することでイベントを検知することを特徴とする請求項１１から請求項１９のうちのいずれか１項記載の遠隔映像取得システム。
【請求項２１】
イベント生成手段は、イベントを検知するセンサで構成されていることを特徴とする請求項１１から請求項１９のうちのいずれか１項記載の遠隔映像取得システム。
【請求項２２】
イベント生成手段は、人又は物の移動を制限する設備で構成されていることを特徴とする請求項１１から請求項１９のうちのいずれか１項記載の遠隔映像取得システム。
【請求項２３】
人又は物の移動を制限する設備は、通行対象の人又は物が、予め通行を許可された人又は物であれば、扉の開閉を行う入退室管理システムであることを特徴とする請求項２２記載の遠隔映像取得システム。
【請求項２４】
人又は物の移動を制限する設備は、通行対象の人又は物が、予め通行を許可された人又は物であれば、建物の出入り扉の開閉を行うインターホンシステムであることを特徴とする請求項２２記載の遠隔映像取得システム。
【請求項２５】
人又は物の移動を制限する設備は、人又は物の接近を検知すると扉を開き、人又は物の通過を確認すると、扉を閉じる自動ドア又は自動シャッターであることを特徴とする請求項２２記載の遠隔映像取得システム。
【請求項２６】
人又は物の移動を制限する設備は、通行対象の人又は物が、予め通行を許可された人又は物であれば、鉄道駅構内の出入り扉の開閉を行う自動改札システムであることを特徴とする請求項２２記載の遠隔映像取得システム。
【請求項２７】
人又は物の移動を制限する設備は、列車が駅に停止している場合に限り、扉の開閉を行う鉄道駅構内のホーム柵システムであることを特徴とする請求項２２記載の遠隔映像取得システム。
【請求項２８】
人又は物の移動を制限する設備は、列車が通過する際に扉の閉鎖を行う鉄道線路の踏切であることを特徴とする請求項２２記載の遠隔映像取得システム。
【請求項２９】
イベント生成手段は、人又は物の移動を支援する設備で構成されていることを特徴とする請求項１１から請求項１９のうちのいずれか１項記載の遠隔映像取得システム。
【請求項３０】
人又は物の移動を支援する設備は、エレベータ又はエスカレータであることを特徴とする請求項２９記載の遠隔映像取得システム。
【発明の詳細な説明】
【技術分野】
【０００１】
この発明は、監視対象が撮像されている映像を示す映像情報をネットワーク経由で遠隔地に送信する遠隔映像取得システムに関するものである。
【背景技術】
【０００２】
監視対象が撮像されている映像を示す映像情報をネットワーク経由で遠隔地に送信する遠隔映像取得システムとして、エレベータ監視センタが遠隔地に保存されている映像データを確認するシステムが開発されている（例えば、特許文献１を参照）。
特許文献１に開示されている遠隔映像取得システムは、データ作成装置と、データ記憶装置と、データ応用装置とから構成されている。
【０００３】
データ作成装置は、以下に示す（１）〜（８）の要素から構成されている。
（１）絶対時間の時刻情報を取得する時刻情報取得部
（２）特定の場所における環境を制御する制御部に供給される制御データを取得する制御データ取得部
（３）特定の場所に設けられている各種のセンサに検知された振動・温度・接触を含む事象の検知データを取得する検知データ取得部
（４）制御データおよび検知データに対して、時刻情報を関連付けた制御系データを作成する制御系データ作成部
（５）特定の場所の周辺における継続的な状況から取得された動画像・静止画・音声を含む映像系データを取得する映像系データ取得部
（６）映像系データ取得部により取得された映像系データに基づいて種々の映像処理を実施して、映像処理後の映像系データを作成する映像系データ作成部
（７）映像処理後の映像系データに対して、時刻情報取得部により取得された時刻情報をメタデータとして作成するメタデータ作成部
（８）映像系データ取得部により取得された映像系データに対して、時刻情報取得部により取得された時刻情報をメタデータとして作成するメタデータ作成部
【０００４】
データ記憶装置は、以下に示す（１）〜（２）の要素から構成されている。
（１）映像系データ取得部により取得された映像系データとメタデータ作成部により作成されたメタデータとを保持する映像系データ保持部
（２）制御データ取得部及び検知データ取得部により取得された制御データと検知データとを保持する制御系データ保持部
【０００５】
データ応用装置は、以下に示す（１）〜（６）の要素から構成されている。
（１）制御系データ保持部に保持されている制御データ及び検知データを表示する制御系データ表示部
（２）制御系データにおける制御データの特定の制御内容又は検知データの特定の事象を制御系部分データとして選択する制御系データ選択部
（３）映像系データを再生する映像系データ再生部
（４）映像系データにおける時系列及び撮像領域の少なくとも一部分を映像系部分データとして選択する映像系データ選択部
（５）制御系データ選択部及び映像系データ選択部により選択された制御系部分データ及び映像系部分データの時刻情報とメタデータに基づいて、それぞれの部分データの時刻を解析する時刻解析部
（６）制御系部分データと映像系部分データとを時刻解析部により解析された絶対時間としての時刻情報を用いて、相互に関連付けて出力するユーザインタフェース部
【０００６】
このように構成されている遠隔映像取得システムでは、データ生成装置が制御データと映像データを生成し、制御データと映像データを絶対時刻で関連付けた上で、データ記憶装置に保存するようにしている。
ユーザがデータ応用装置を用いて、制御系データの履歴データを指定すると、データ応用装置が、その履歴データから時刻情報を抽出する。
【０００７】
データ応用装置は、履歴データから時刻情報を抽出すると、その時刻情報を用いて、映像系データの時刻を表示するメタデータを検索し、その映像系データの該当時刻に関する情報を取得する。
データ応用装置は、映像系データの該当時刻に関する情報を取得すると、データ記憶装置により保存されている該当時刻の映像系データを取得して表示する。
ユーザは、該当時刻の映像系データを視聴することで、当該時刻に実際に発生した事象を認識することができる。
【０００８】
即ち、この遠隔映像取得システムでは、データ作成装置が監視対象と同じ場所に設置され、データ応用装置が複数の監視対象を集中管理する監視センタに設置され、データ記憶装置が監視対象と同じ場所又は監視センタの少なくとも一方に設置され、データ作成装置、データ記憶装置及びデータ応用装置をオンライン接続することで、遠隔地である監視センタにおいて、ユーザが映像系データを視聴することができる。
【先行技術文献】
【特許文献】
【０００９】
【特許文献１】特開２００７−２３５６６８号公報（段落番号［００１３］、図１）
【発明の概要】
【発明が解決しようとする課題】
【００１０】
従来の遠隔映像取得システムは以上のように構成されているので、遠隔地である監視センタにおいて、ユーザが映像系データを視聴することができる。しかし、ユーザにより設定された検索条件（例えば、不審者の侵入）に合致するイベント（例えば、侵入者の検知を示すイベント）を検索し、そのイベントが発生している時刻の映像系データを選択的に取得するなどの機能を備えておらず、ユーザが所望するイベントに係る映像を迅速かつ容易に確認することが困難である課題があった。
また、メタデータ作成部や制御系データ作成部がデータ作成装置内に設けられているため、多数の映像系データ取得部（例えば、カメラ）を設置する必要がある場合、その映像系データ取得部と同数のメタデータ作成部や制御系データ作成部を用意する必要があり、システムの構成機器数が多くなるなどの課題があった。
【００１１】
この発明は上記のような課題を解決するためになされたもので、システムの構成機器数の増加を招くことなく、多くのカメラ等を設置することができるとともに、ユーザが所望するイベントに係る映像を迅速かつ容易に確認することができる遠隔映像取得システムを得ることを目的とする。
【課題を解決するための手段】
【００１２】
この発明に係る遠隔映像取得システムは、所望のイベント情報の検索に用いる検索条件の設定を受け付ける検索条件設定受付手段と、イベント情報保存手段により保存されているイベント情報の中から、検索条件設定受付手段により設定が受け付けられた検索条件に合致するイベント情報を検索するイベント情報検索手段と、イベント情報保存手段により保存されているイベント属性情報の中から、イベント情報検索手段により検索されたイベント情報に対応する映像情報を示すイベント属性情報を取得するイベント属性情報取得手段とを設け、映像情報送信手段がイベント属性情報取得手段により取得されたイベント属性情報を参照して、映像情報保存手段により保存されている映像情報の中から、イベント情報検索手段により検索されたイベント情報に対応する映像情報を取得し、その映像情報を送信するようにしたものである。
【発明の効果】
【００１３】
この発明によれば、所望のイベント情報の検索に用いる検索条件の設定を受け付ける検索条件設定受付手段と、イベント情報保存手段により保存されているイベント情報の中から、検索条件設定受付手段により設定が受け付けられた検索条件に合致するイベント情報を検索するイベント情報検索手段と、イベント情報保存手段により保存されているイベント属性情報の中から、イベント情報検索手段により検索されたイベント情報に対応する映像情報を示すイベント属性情報を取得するイベント属性情報取得手段とを設け、映像情報送信手段がイベント属性情報取得手段により取得されたイベント属性情報を参照して、映像情報保存手段により保存されている映像情報の中から、イベント情報検索手段により検索されたイベント情報に対応する映像情報を取得し、その映像情報を送信するように構成したので、システムの構成機器数の増加を招くことなく、多くのカメラ等を設置することができるとともに、ユーザが所望するイベントに係る映像を迅速かつ容易に確認することができる効果がある。
【図面の簡単な説明】
【００１４】
【図１】この発明の実施の形態１による遠隔映像取得システムを示す構成図である。
【図２】この発明の実施の形態１による遠隔映像取得システムの監視拠点１−ｎ及び映像取得センタ３の内部を示す構成図である。
【図３】この発明の実施の形態１による遠隔映像取得システムの映像取得処理を示すシーケンス図である。
【図４】この発明の実施の形態２による遠隔映像取得システムの監視拠点１−ｎ及び映像取得センタ３の内部を示す構成図である。
【図５】この発明の実施の形態２による遠隔映像取得システムの映像取得処理を示すシーケンス図である。
【図６】この発明の実施の形態３による遠隔映像取得システムを示す構成図である。
【図７】この発明の実施の形態３による遠隔映像取得システムの監視拠点１−ｎ、映像取得センタ４及び映像取得拠点５−ｍの内部を示す構成図である。
【図８】この発明の実施の形態３による遠隔映像取得システムの映像取得処理を示すシーケンス図である。
【図９】この発明の実施の形態４による遠隔映像取得システムの監視拠点１−ｎ、映像取得センタ４及び映像取得拠点５−ｍの内部を示す構成図である。
【図１０】この発明の実施の形態４による遠隔映像取得システムの映像取得処理を示すシーケンス図である。
【図１１】この発明の実施の形態５による遠隔映像取得システムの監視拠点１−ｎ、映像取得センタ４及び映像取得拠点５−ｍの内部を示す構成図である。
【図１２】この発明の実施の形態５による遠隔映像取得システムの映像取得処理を示すシーケンス図である。
【図１３】この発明の実施の形態６による遠隔映像取得システムの監視拠点１−ｎ及び映像取得センタ３の内部を示す構成図である。
【図１４】この発明の実施の形態６による遠隔映像取得システムの監視拠点１−ｎ、映像取得センタ４及び映像取得拠点５−ｍの内部を示す構成図である。
【図１５】この発明の実施の形態７による遠隔映像取得システムの監視拠点１−ｎ及び映像取得センタ３の内部を示す構成図である。
【図１６】この発明の実施の形態７による遠隔映像取得システムの監視拠点１−ｎ、映像取得センタ４及び映像取得拠点５−ｍの内部を示す構成図である。
【図１７】この発明の実施の形態８による遠隔映像取得システムの監視拠点１−ｎ、映像取得センタ４及び映像取得拠点５−ｍの内部を示す構成図である。
【発明を実施するための形態】
【００１５】
実施の形態１．
図１はこの発明の実施の形態１による遠隔映像取得システムを示す構成図である。
図１において、監視拠点１−１〜１−Ｎは監視対象（例えば、不審者の侵入を監視する領域）が存在する拠点であり、監視対象が撮影されている映像を示す映像情報や、監視対象で発生したイベントを示すイベント情報などが保存されている。
映像取得センタ３はネットワーク２を通じて監視拠点１−１〜１−Ｎと接続されており、監視拠点１−１〜１−Ｎにより保存されている映像情報を取得する処理を実施する。
【００１６】
図２はこの発明の実施の形態１による遠隔映像取得システムの監視拠点１−ｎ（ｎ＝１，２，・・・，Ｎ）及び映像取得センタ３の内部を示す構成図である。
図２において、映像管理部１０は映像情報保存部１１、位置情報管理部１２、映像情報取得部１３及び映像情報送信部１４から構成されており、監視対象が撮影されている映像を示す映像情報等を管理している。
イベント管理部２０はイベント情報保存部２１、イベント属性情報保存部２２、イベント情報検索部２３、イベント情報送信部２４及びイベント属性情報取得部２５から構成されており、監視対象に関するイベント（例えば、侵入者の検知を示すイベント）を示すイベント情報等を管理している。
なお、映像管理部１０及びイベント管理部２０は監視拠点１−ｎ内のＬＡＮ３０に接続されている。
【００１７】
映像情報保存部１１は監視対象が撮影されている映像を示す映像情報を保存するメモリである。例えば、Ｍ個の監視対象があれば、Ｍ個の監視対象の映像を示す映像情報を長期間（例えば、１ヶ月）保存する。
位置情報管理部１２は映像情報保存部１１における映像情報の保存位置を示す位置情報を管理するほか、その映像情報の時刻に関する時刻情報（映像情報の生成時刻、取得時刻又は保存時刻）や、その映像情報の生成元を識別する識別情報などを管理している。
なお、映像情報保存部１１及び位置情報管理部１２から映像情報保存手段が構成されている。
【００１８】
イベント情報保存部２１は監視対象に関するイベントを示すイベント情報を保存するメモリである。
イベント属性情報保存部２２はイベント情報保存部２１により保存されているイベント情報に対応する映像情報を示す対応関係情報（イベント情報の生成元と映像情報の生成元の対応関係を示す情報）、イベント情報の種別を示す種別情報、イベント情報を特定する識別情報、イベント情報の時刻に関する時刻情報などをイベント属性情報として保存するメモリである。
なお、イベント情報保存部２１及びイベント属性情報保存部２２からイベント情報保存手段が構成されている。
【００１９】
イベント情報検索部２３は映像取得センタ３からネットワーク２経由でイベント情報の検索条件を含むイベント取得要求を受信すると、イベント情報保存部２１により保存されているイベント情報の中から、そのイベント取得要求に含まれている検索条件に合致するイベント情報を検索する処理を実施する。
即ち、イベント情報検索部２３はイベント取得要求に含まれている検索条件とイベント属性情報保存部２２により保存されているイベント属性情報を照合して、その検索条件に合致するイベント情報を検索する処理を実施する。なお、イベント情報検索部２３はイベント情報検索手段を構成している。
【００２０】
イベント情報送信部２４はイベント情報検索部２３により検索された少なくとも１つ以上のイベント情報を含むイベント取得応答をネットワーク２経由で映像取得センタ３に送信する処理を実施する。なお、イベント情報送信部２４はイベント情報送信手段を構成している。
イベント属性情報取得部２５は映像取得センタ３からネットワーク２経由でイベント情報の識別情報（映像取得センタ３において、ユーザにより選択されたイベントを示す識別情報）を含む映像情報取得要求を受信すると、イベント属性情報保存部２２により保存されているイベント属性情報の中から、その映像情報取得要求に含まれている識別情報が示すイベント情報に対応する映像情報を示す対応関係情報（イベント属性情報）を取得する処理を実施する。なお、イベント属性情報取得部２５はイベント属性情報取得手段を構成している。
【００２１】
映像情報取得部１３は位置情報管理部１２からイベント属性情報取得部２５により取得された対応関係情報（イベント属性情報）が示す映像情報の保存位置を示す位置情報を取得し、映像情報保存部１１により保存されている映像情報の中から、その位置情報が示す位置に保存されている映像情報を取得する処理を実施する。
映像情報送信部１４はイベント管理部２０を介して、映像情報取得部１３により取得された映像情報を含む映像情報取得応答をネットワーク２経由で映像取得センタ３に送信する処理を実施する。
なお、映像情報取得部１３及び映像情報送信部１４から映像情報送信手段が構成されている。
【００２２】
接続情報管理部４１は監視拠点１−１〜１−Ｎにおけるイベント管理部２０との通信を確立する際に必要な接続情報（例えば、監視拠点１−１〜１−Ｎにおけるイベント管理部２０のアドレス情報）を管理する処理を実施する。
情報送受信部４２は接続情報管理部４１により管理されている接続情報を参照して、監視拠点１−ｎにおけるイベント管理部２０との通信を確立して、イベント取得要求や映像情報取得要求を監視拠点１−ｎのイベント管理部２０に送信する一方、監視拠点１−ｎのイベント管理部２０からイベント取得応答や映像情報取得応答を受信する処理を実施する。
なお、接続情報管理部４１及び情報送受信部４２からイベント情報受信手段及び映像情報取得要求手段が構成されている。
【００２３】
操作受付部４３は接続情報管理部４１、情報送受信部４２及び映像情報格納部４４の処理内容を制御する処理を実施するほか、所望のイベント情報の検索に用いる検索条件の設定を受け付けて、その検索条件を含むイベント取得要求の送信を情報送受信部４２に指示するとともに、情報送受信部４２により受信されたイベント取得応答に含まれている少なくとも１つ以上のイベント情報を表示して、所望のイベント情報の選択を受け付け、そのイベント情報の識別情報を含む映像情報取得要求の送信を情報送受信部４２に指示する処理を実施する。
なお、操作受付部４３は検索条件設定受付手段及びイベント情報選択受付手段を構成している。
映像情報格納部４４は情報送受信部４２により受信された映像取得応答に含まれている映像情報を格納するメモリである。
図３はこの発明の実施の形態１による遠隔映像取得システムの映像取得処理を示すシーケンス図である。
【００２４】
次に動作について説明する。
監視拠点１−ｎに保存されている映像情報を取得する場合、ユーザが映像取得センタ３の操作受付部４３を操作して、監視拠点１−１〜１−Ｎの中から、取得対象の映像情報が保存されている監視拠点１−ｎを指定する。
操作受付部４３は、ユーザが監視拠点１−ｎを指定すると、その監視拠点１−ｎにおけるイベント管理部２０との通信を確立する際に必要な接続情報の出力を接続情報管理部４１に指示する。
接続情報管理部４１は、操作受付部４３の指示の下、監視拠点１−ｎにおけるイベント管理部２０との通信を確立する際に必要な接続情報（例えば、監視拠点１−ｎにおけるイベント管理部２０のアドレス情報）を情報送受信部４２に出力する。
【００２５】
また、ユーザは、操作受付部４３を操作して、所望のイベント情報の検索に用いる検索条件を設定する。
例えば、検索条件として、イベントの種類（例えば、不審者の侵入、火災の発生）、イベントの発生時刻、イベント情報の識別情報などを設定する。
操作受付部４３は、ユーザにより設定された検索条件を受け付けて、その検索条件を含むイベント取得要求の送信を情報送受信部４２に指示する。
情報送受信部４２は、接続情報管理部４１から出力された接続情報を参照して、監視拠点１−ｎにおけるイベント管理部２０との通信を確立し、操作受付部４３から出力された検索条件を含むイベント取得要求をネットワーク２経由で監視拠点１−ｎのイベント管理部２０に送信する（ステップＳＴ１）。
【００２６】
監視拠点１−ｎに設置されているイベント管理部２０のイベント情報検索部２３は、映像取得センタ３からイベント情報の検索条件を含むイベント取得要求を受信すると、イベント情報保存部２１により保存されているイベント情報の中から、そのイベント取得要求に含まれている検索条件に合致するイベント情報を検索する処理を実施する。
即ち、イベント情報検索部２３は、イベント取得要求に含まれている検索条件とイベント属性情報保存部２２により保存されているイベント属性情報を照合して、その検索条件に合致するイベント情報を検索する。
【００２７】
例えば、検索条件が、イベントの種類（例えば、不審者の侵入、火災の発生）を示す場合、イベント属性情報保存部２２により保存されている種別情報（イベント属性情報）を参照して、侵入者の検知イベントを示すイベント情報や、火災の発生イベントを示すイベント情報を検索する。
また、検索条件が、イベントの発生時刻を示す場合、イベント属性情報保存部２２により保存されている時刻情報（イベント情報の生成時刻、取得時刻又は保存時刻）を参照して、イベントの発生時刻との時刻差が所定時間以内であるイベント情報を検索する。
また、検索条件が、イベント情報の識別情報を示す場合、イベント属性情報保存部２２により保存されている識別情報を参照して、その識別情報を有するイベント情報を検索する。
【００２８】
イベント管理部２０のイベント情報送信部２４は、イベント情報検索部２３が検索条件に合致する少なくとも１つ以上のイベント情報を検索すると、それらのイベント情報を含むイベント取得応答をネットワーク２経由で映像取得センタ３に送信する（ステップＳＴ２）。
なお、イベント情報送信部２４は、イベント情報を含むイベント取得応答を送信する際、そのイベント情報に係るイベント属性情報をイベント取得応答に含めて、そのイベント属性情報を含むイベント取得応答を送信するようにしてもよい。
【００２９】
映像取得センタ３の情報送受信部４２は、監視拠点１−ｎに設置されているイベント管理部２０からイベント取得応答を受信すると、そのイベント取得応答を操作受付部４３に出力する。
操作受付部４３は、情報送受信部４２からイベント取得応答を受けると、そのイベント取得応答に含まれているイベント情報やイベント属性情報を画面上にリスト表示する。
これにより、ユーザが画面上にリスト表示されているイベント情報やイベント属性情報を見て、所望のイベント情報があれば、操作受付部４３を操作して、所望のイベント情報（１つ又は複数のイベント情報）を選択する。
【００３０】
操作受付部４３は、所望のイベント情報の選択を受け付け、そのイベント情報の識別情報を含む映像情報取得要求の送信を情報送受信部４２に指示する。
情報送受信部４２は、操作受付部４３の指示の下、イベント情報の識別情報を含む映像情報取得要求をネットワーク２経由で監視拠点１−ｎのイベント管理部２０に送信する（ステップＳＴ３）。
【００３１】
監視拠点１−ｎに設置されているイベント管理部２０のイベント属性情報取得部２５は、映像取得センタ３からイベント情報の識別情報を含む映像情報取得要求を受信すると、イベント属性情報保存部２２により保存されているイベント属性情報の中から、その映像情報取得要求に含まれている識別情報が示すイベント情報に対応する映像情報を示す対応関係情報（イベント属性情報）を取得する。
イベント属性情報取得部２５は、映像情報を示す対応関係情報を取得すると、その対応関係情報を含む映像情報転送要求をＬＡＮ３０経由で監視拠点１−ｎ内の映像管理部１０に送信する（ステップＳＴ４）。
【００３２】
ただし、イベント属性情報取得部２５は、必要に応じて、その識別情報が示すイベント情報の時刻情報を基準とする映像情報の取得時間範囲（例えば、イベント情報の時刻情報が示す時刻より一定時刻前〜イベント情報の時刻情報が示す時刻より一定時刻後の範囲）を示す時刻情報を映像情報転送要求に含め、その時刻情報を含む映像情報転送要求を映像管理部１０に送信する。
なお、イベント属性情報取得部２５は、映像管理部１０との通信を確立する際に必要な接続情報（例えば、映像管理部１０のアドレス情報）を管理しており、映像情報転送要求を映像管理部１０に送信するに際して、その接続情報を参照して、映像管理部１０との通信を確立する。
【００３３】
映像管理部１０の映像情報取得部１３は、イベント管理部２０のイベント属性情報取得部２５から映像情報転送要求を受信すると、位置情報管理部１２から映像情報転送要求に含まれている対応関係情報が示す映像情報の保存位置を示す位置情報を取得する。
映像情報取得部１３は、映像情報の保存位置を示す位置情報を取得すると、映像情報保存部１１により保存されている映像情報の中から、その位置情報が示す位置に保存されている映像情報を取得する。
ただし、映像情報取得部１３は、映像情報の取得時間範囲を示す時刻情報が映像情報転送要求に含まれている場合、その取得時間範囲内の映像情報のみを取得する。
映像情報取得部１３は、映像情報の取得時間範囲を示す時刻情報が映像情報転送要求に含まれていない場合、システムで固定的に設定されている範囲内の映像情報のみを取得するようにしてもよい。
【００３４】
映像管理部１０の映像情報送信部１４は、映像情報取得部１３が映像情報を取得すると、その映像情報を含む映像情報転送応答をＬＡＮ３０経由でイベント管理部２０のイベント情報送信部２４に送信する（ステップＳＴ５）。
イベント管理部２０のイベント情報送信部２４は、映像情報送信部１４から映像情報転送応答を受信すると、その映像情報転送応答を映像情報取得応答として映像取得センタ３に転送する（ステップＳＴ６）。
ここでは、映像管理部１０の映像情報送信部１４が映像情報を含む映像情報転送応答をイベント管理部２０のイベント情報送信部２４に送信し、イベント管理部２０のイベント情報送信部２４が映像情報転送応答を映像情報取得応答として映像取得センタ３に転送するものについて示したが、映像管理部１０の映像情報送信部１４が、直接、映像情報を含む映像情報取得応答を映像取得センタ３に送信するようにしてもよい。
【００３５】
また、映像管理部１０の映像情報送信部１４又はイベント管理部２０のイベント情報送信部２４が、映像情報を含む映像情報転送応答又は映像情報取得応答を送信する際、その映像情報の間引き処理を実施して、間引き処理後の映像情報を映像情報転送応答又は映像情報取得応答に含めることで、送信情報量を削減して、ネットワーク２の負荷を軽減するようにしてもよい。
あるいは、映像管理部１０の映像情報送信部１４又はイベント管理部２０のイベント情報送信部２４が、映像情報の圧縮処理を実施し（映像情報保存部１１により保存されている状態よりも高い圧縮比で、映像情報の再圧縮を行うか、圧縮効率が高い符号化方式で、映像情報の変換再符号化を行う）、圧縮処理後の映像情報を映像情報転送応答又は映像情報取得応答に含めることで、送信情報量を削減して、ネットワーク２の負荷を軽減するようにしてもよい。
【００３６】
映像取得センタ３の情報送受信部４２は、監視拠点１−ｎから映像情報を含む映像情報取得応答を受信すると、その映像情報取得応答を操作受付部４３に出力する。
操作受付部４３は、情報送受信部４２から映像情報取得応答を受けると、その映像情報取得応答に含まれている映像情報を映像情報格納部４４に格納する。
また、操作受付部４３は、その映像情報取得応答に含まれている映像情報を復号して、その映像情報が示す映像を表示する。
なお、図３が示すシーケンスは一例に過ぎず、他のシーケンスで映像情報を送信するようにしてもよい。
【００３７】
以上で明らかなように、この実施の形態１によれば、所望のイベント情報の検索に用いる検索条件の設定を受け付ける操作受付部４３と、イベント情報保存部２１により保存されているイベント情報の中から、操作受付部４３により設定が受け付けられた検索条件に合致するイベント情報を検索するイベント情報検索部２３と、イベント属性情報保存部２２により保存されているイベント属性情報の中から、イベント情報検索部２３により検索されたイベント情報に対応する映像情報を示すイベント属性情報を取得するイベント属性情報取得部２５とを設け、映像情報送信部１４が映像情報保存部１１により保存されている映像情報の中から、イベント属性情報取得部２５により取得されたイベント属性情報が示す映像情報を取得し、その映像情報を映像取得センタ３に送信するように構成したので、システムの構成機器数の増加を招くことなく、多くのカメラ等を設置することができるとともに（多くのカメラ等を設置しても、映像管理部１０やイベント管理部２０の台数を増やす必要がない）、ユーザが所望するイベントに係る映像を迅速かつ容易に確認することができる効果を奏する。
また、監視拠点１−ｎに保存されている長期間（例えば、１ヶ月分）の映像情報の内容を確認することなく、特定のイベント発生時の映像情報の選択が行えるため、作業の効率化が可能となる。
【００３８】
なお、この実施の形態１では、イベント情報送信部２４がイベント情報検索部２３により検索されたイベント情報を送信するものについて示したが、イベント情報送信部２４が上記イベント情報に対応する映像情報の取得を映像管理部１０に依頼することで、映像管理部１０から上記イベント情報に対応する映像情報を取得して、その映像情報が示す映像の縮小画像（サムネイル）を生成し、その縮小画像（サムネイル）を上記イベント情報と一緒に映像取得センタ３に送信するようにしてもよい。
この場合、映像取得センタ３の操作受付部４３は、イベント情報送信部２４から送信されたイベント情報と縮小画像（サムネイル）を関連付けて表示することができるようになり、その結果、所望のイベント情報の選択作業の効率化が図られる。
【００３９】
この実施の形態１では、映像情報取得部１３がイベント情報に対応する映像情報を示す対応関係情報を参照して、イベント情報に対応する映像情報を取得するものについて示したが、その対応関係情報を参照せずに、イベント情報が発生したときの全ての映像情報を取得するようにしてもよい。
【００４０】
また、この実施の形態１では、インターネット上の情報転送に馴染みの深いｗｅｂ技術を想定して、監視拠点１−ｎと映像取得センタ３間での各種情報の送受信を説明したが、この実施の形態１の趣旨は、イベント情報を用いて、取得対象の映像情報の部位指定を行うことにより、監視拠点１−ｎと映像取得センタ３間で、映像情報の効率的な取得を目的としているため、通信方式については、この例に限るものではない。
【００４１】
実施の形態２．
図４はこの発明の実施の形態２による遠隔映像取得システムの監視拠点１−ｎ（ｎ＝１，２，・・・，Ｎ）及び映像取得センタ３の内部を示す構成図であり、図において、図２と同一符号は同一又は相当部分を示すので説明を省略する。
映像イベント管理部３１は、図２の映像管理部１０とイベント管理部２０が一体化されたものであり、映像情報保存部１１、位置情報管理部１２、映像情報取得部１３、映像情報送信部１４、イベント情報保存部２１、イベント属性情報保存部２２、イベント情報検索部２３、イベント情報送信部２４及びイベント属性情報取得部２５から構成されている。
なお、映像イベント管理部３１は監視拠点１−ｎ内のＬＡＮ３０に接続されている。
図５はこの発明の実施の形態２による遠隔映像取得システムの映像取得処理を示すシーケンス図である。
【００４２】
次に動作について説明する。
上記実施の形態１では、映像管理部１０とイベント管理部２０から監視拠点１−ｎが構成されているものについて示したが、図４に示すように、映像管理部１０とイベント管理部２０が一体化されている映像イベント管理部３１を用いて、監視拠点１−ｎが構成されるようにしてもよい。
以下、具体的な処理内容を説明する。
【００４３】
監視拠点１−ｎに保存されている映像情報を取得する場合、上記実施の形態１と同様に、ユーザが映像取得センタ３の操作受付部４３を操作して、監視拠点１−１〜１−Ｎの中から、取得対象の映像情報が保存されている監視拠点１−ｎを指定する。
操作受付部４３は、ユーザが監視拠点１−ｎを指定すると、上記実施の形態１と同様に、その監視拠点１−ｎにおける映像イベント管理部３１との通信を確立する際に必要な接続情報の出力を接続情報管理部４１に指示する。
接続情報管理部４１は、操作受付部４３の指示の下、監視拠点１−ｎにおける映像イベント管理部３１との通信を確立する際に必要な接続情報（例えば、監視拠点１−ｎにおける映像イベント管理部３１のアドレス情報）を情報送受信部４２に出力する。
【００４４】
また、ユーザは、操作受付部４３を操作して、所望のイベント情報の検索に用いる検索条件を設定する。
例えば、検索条件として、イベントの種類（例えば、不審者の侵入、火災の発生）、イベントの発生時刻、イベント情報の識別情報などを設定する。
操作受付部４３は、ユーザにより設定された検索条件を受け付けて、その検索条件を含むイベント取得要求の送信を情報送受信部４２に指示する。
情報送受信部４２は、接続情報管理部４１から出力された接続情報を参照して、監視拠点１−ｎにおける映像イベント管理部３１との通信を確立し、操作受付部４３から出力された検索条件を含むイベント取得要求をネットワーク２経由で監視拠点１−ｎの映像イベント管理部３１に送信する（ステップＳＴ１１）。
【００４５】
監視拠点１−ｎに設置されている映像イベント管理部３１のイベント情報検索部２３は、映像取得センタ３からイベント情報の検索条件を含むイベント取得要求を受信すると、上記実施の形態１と同様に、イベント情報保存部２１により保存されているイベント情報の中から、そのイベント取得要求に含まれている検索条件に合致するイベント情報を検索する処理を実施する。
即ち、イベント情報検索部２３は、イベント取得要求に含まれている検索条件とイベント属性情報保存部２２により保存されているイベント属性情報を照合して、その検索条件に合致するイベント情報を検索する。
【００４６】
映像イベント管理部３１のイベント情報送信部２４は、イベント情報検索部２３が検索条件に合致する少なくとも１つ以上のイベント情報を検索すると、それらのイベント情報を含むイベント取得応答をネットワーク２経由で映像取得センタ３に送信する（ステップＳＴ１２）。
なお、イベント情報送信部２４は、イベント情報を含むイベント取得応答を送信する際、そのイベント情報に係るイベント属性情報をイベント取得応答に含めて、そのイベント属性情報を含むイベント取得応答を送信するようにしてもよい。
【００４７】
映像取得センタ３の情報送受信部４２は、監視拠点１−ｎに設置されている映像イベント管理部３１からイベント取得応答を受信すると、上記実施の形態１と同様に、そのイベント取得応答を操作受付部４３に出力する。
操作受付部４３は、情報送受信部４２からイベント取得応答を受けると、上記実施の形態１と同様に、そのイベント取得応答に含まれているイベント情報やイベント属性情報を画面上にリスト表示する。
これにより、ユーザが画面上にリスト表示されているイベント情報やイベント属性情報を見て、所望のイベント情報があれば、操作受付部４３を操作して、所望のイベント情報（１つ又は複数のイベント情報）を選択する。
【００４８】
操作受付部４３は、所望のイベント情報の選択を受け付け、そのイベント情報の識別情報を含む映像情報取得要求の送信を情報送受信部４２に指示する。
情報送受信部４２は、操作受付部４３の指示の下、イベント情報の識別情報を含む映像情報取得要求をネットワーク２経由で監視拠点１−ｎの映像イベント管理部３１に送信する（ステップＳＴ１３）。
【００４９】
監視拠点１−ｎに設置されている映像イベント管理部３１のイベント属性情報取得部２５は、映像取得センタ３からイベント情報の識別情報を含む映像情報取得要求を受信すると、上記実施の形態１と同様に、イベント属性情報保存部２２により保存されているイベント属性情報の中から、その映像情報取得要求に含まれている識別情報が示すイベント情報に対応する映像情報を示す対応関係情報（イベント属性情報）を取得する。
イベント属性情報取得部２５は、映像情報を示す対応関係情報を取得すると、その対応関係情報を映像情報取得部１３に出力する。
ただし、イベント属性情報取得部２５は、必要に応じて、その識別情報が示すイベント情報の時刻情報を基準とする映像情報の取得時間範囲（例えば、イベント情報の時刻情報が示す時刻より一定時刻前〜イベント情報の時刻情報が示す時刻より一定時刻後の範囲）を示す時刻情報を映像情報取得部１３に出力する。
【００５０】
映像イベント管理部３１の映像情報取得部１３は、イベント属性情報取得部２５から対応関係情報を受けると、位置情報管理部１２から当該対応関係情報が示す映像情報の保存位置を示す位置情報を取得する。
映像情報取得部１３は、映像情報の保存位置を示す位置情報を取得すると、映像情報保存部１１により保存されている映像情報の中から、その位置情報が示す位置に保存されている映像情報を取得する。
ただし、映像情報取得部１３は、イベント属性情報取得部２５から対応関係情報と一緒に映像情報の取得時間範囲を示す時刻情報を受けている場合、その取得時間範囲内の映像情報のみを取得する。
映像情報取得部１３は、映像情報の取得時間範囲を示す時刻情報が受けていない場合、システムで固定的に設定されている範囲内の映像情報のみを取得するようにしてもよい。
【００５１】
映像イベント管理部３１の映像情報送信部１４は、映像情報取得部１３が映像情報を取得すると、その映像情報を含む映像情報取得応答を映像取得センタ３に送信する（ステップＳＴ１４）。
また、映像イベント管理部３１の映像情報送信部１４が、映像情報を含む映像情報取得応答を送信する際、その映像情報の間引き処理を実施して、間引き処理後の映像情報を映像情報取得応答に含めることで、送信情報量を削減して、ネットワーク２の負荷を軽減するようにしてもよい。
あるいは、映像イベント管理部３１の映像情報送信部１４が、映像情報の圧縮処理を実施し（映像情報保存部１１により保存されている状態よりも高い圧縮比で、映像情報の再圧縮を行うか、圧縮効率が高い符号化方式で、映像情報の変換再符号化を行う）、圧縮処理後の映像情報を映像情報取得応答に含めることで、送信情報量を削減して、ネットワーク２の負荷を軽減するようにしてもよい。
【００５２】
映像取得センタ３の情報送受信部４２は、監視拠点１−ｎから映像情報を含む映像情報取得応答を受信すると、その映像情報取得応答を操作受付部４３に出力する。
操作受付部４３は、情報送受信部４２から映像情報取得応答を受けると、その映像情報取得応答に含まれている映像情報を映像情報格納部４４に格納する。
また、操作受付部４３は、その映像情報取得応答に含まれている映像情報を復号して、その映像情報が示す映像を表示する。
なお、図５が示すシーケンスは一例に過ぎず、他のシーケンスで映像情報を送信するようにしてもよい。
【００５３】
以上で明らかなように、この実施の形態２によれば、映像イベント管理部３１が、図２の映像管理部１０とイベント管理部２０が一体化されたものに相当するため、上記実施の形態１と同様の効果が得られるほかに、イベント属性情報取得部２５が対応関係情報を映像情報取得部１３に与える際、イベント属性情報取得部２５と映像情報取得部１３間の通信を確立するなどの処理が不要になるため、映像情報の取得に要する時間を短縮することができる効果が得られる。
【００５４】
実施の形態３．
図６はこの発明の実施の形態３による遠隔映像取得システムを示す構成図であり、図において、図１と同一符号は同一又は相当部分を示すので説明を省略する。
映像取得センタ４はネットワーク２を通じて監視拠点１−１〜１−Ｎと接続されており、監視拠点１−１〜１−Ｎにより保存されている映像情報を取得して、その映像情報を転送する処理を実施する。
映像取得拠点５−１〜５−Ｍは映像取得センタ４から転送された映像情報を受信して保存する処理を実施する。
【００５５】
図７はこの発明の実施の形態３による遠隔映像取得システムの監視拠点１−ｎ（ｎ＝１，２，・・・，Ｎ）、映像取得センタ４及び映像取得拠点５−ｍ（ｍ＝１，２，・・・，Ｍ）の内部を示す構成図であり、図において、図２と同一符号は同一又は相当部分を示すので説明を省略する。
映像取得センタ４の接続情報管理部５１は監視拠点１−１〜１−Ｎにおけるイベント管理部２０との通信を確立する際に必要な接続情報（例えば、監視拠点１−１〜１−Ｎにおけるイベント管理部２０のアドレス情報）を管理する処理を実施する。
【００５６】
映像取得センタ４の情報送受信部５２は映像取得拠点５−ｍからイベント取得要求を受信すると、接続情報管理部５１により管理されている接続情報を参照して、監視拠点１−ｎにおけるイベント管理部２０との通信を確立して、映像取得拠点５−ｍから送信されたイベント取得要求や映像情報取得要求を監視拠点１−ｎのイベント管理部２０に転送する一方、監視拠点１−ｎのイベント管理部２０からイベント取得応答や映像情報取得応答を受信して、そのイベント取得応答や映像情報取得応答を映像取得拠点５−ｍに転送する処理を実施する。
なお、接続情報管理部５１及び情報送受信部５２から映像情報転送手段が構成されている。
操作制御部５３は接続情報管理部５１及び情報送受信部５２の処理内容を制御する処理を実施する。
【００５７】
接続情報管理部６１は映像取得センタ４における情報送受信部５２との通信を確立する際に必要な接続情報（例えば、映像取得センタ４における情報送受信部５２のアドレス情報）を管理する処理を実施する。
情報送受信部６２は接続情報管理部６１により管理されている接続情報を参照して、映像取得センタ４における情報送受信部５２との通信を確立して、イベント取得要求や映像情報取得要求を映像取得センタ４の情報送受信部５２に送信する一方、映像取得センタ４の情報送受信部５２からイベント取得応答や映像情報取得応答を受信する処理を実施する。
なお、接続情報管理部６１及び情報送受信部６２からイベント情報受信手段及び映像情報取得要求手段が構成されている。
【００５８】
操作受付部６３は接続情報管理部６１、情報送受信部６２及び映像情報格納部６４の処理内容を制御する処理を実施するほか、所望のイベント情報の検索に用いる検索条件の設定を受け付けて、その検索条件を含むイベント取得要求の送信を情報送受信部６２に指示するとともに、情報送受信部６２により受信されたイベント取得応答に含まれている少なくとも１つ以上のイベント情報を表示して、所望のイベント情報の選択を受け付け、そのイベント情報の識別情報を含む映像情報取得要求の送信を情報送受信部６２に指示する処理を実施する。
なお、操作受付部６３は検索条件設定受付手段及びイベント情報選択受付手段を構成している。
映像情報格納部６４は情報送受信部６２により受信された映像取得応答に含まれている映像情報を格納するメモリである。
図８はこの発明の実施の形態３による遠隔映像取得システムの映像取得処理を示すシーケンス図である。
【００５９】
次に動作について説明する。
上記実施の形態１，２では、映像取得センタ３が監視拠点１−ｎにより保存されている映像情報を取得するものについて示したが、ネットワーク２に接続されている不特定多数の映像取得拠点５−ｍが、映像取得センタ４を介して、監視拠点１−ｎにより保存されている映像情報を取得するようにしてもよい。
具体的には、以下の通りである。
【００６０】
監視拠点１−ｎに保存されている映像情報を取得する場合、ユーザが映像取得拠点５−ｍの操作受付部６３を操作して、監視拠点１−１〜１−Ｎの中から、取得対象の映像情報が保存されている監視拠点１−ｎを指定する。
操作受付部６３は、ユーザが監視拠点１−ｎを指定すると、映像取得センタ４における情報送受信部５２との通信を確立する際に必要な接続情報の出力を接続情報管理部６１に指示する。
接続情報管理部６１は、操作受付部６３の指示の下、映像取得センタ４における情報送受信部５２との通信を確立する際に必要な接続情報（例えば、映像取得センタ４における情報送受信部５２のアドレス情報）を情報送受信部６２に出力する。
【００６１】
また、ユーザは、操作受付部６３を操作して、所望のイベント情報の検索に用いる検索条件を設定する。
例えば、検索条件として、イベントの種類（例えば、不審者の侵入、火災の発生）、イベントの発生時刻、イベント情報の識別情報などを設定する。
操作受付部６３は、ユーザにより設定された検索条件を受け付けて、その検索条件と取得先情報（監視拠点１−ｎを示す情報）を含むイベント取得要求の送信を情報送受信部６２に指示する。
情報送受信部６２は、接続情報管理部６１から出力された接続情報を参照して、映像取得センタ４における情報送受信部５２との通信を確立し、操作受付部６３から出力された検索条件と取得先情報を含むイベント取得要求をネットワーク２経由で映像取得センタ４の情報送受信部５２に送信する（ステップＳＴ２１）。
【００６２】
映像取得センタ４の情報送受信部５２は、映像取得拠点５−ｍから検索条件と取得先情報を含むイベント取得要求を受信すると、そのイベント取得要求に含まれている取得先情報を操作制御部５３に出力する。
操作制御部５３は、情報送受信部５２から取得先情報を受けると、その取得先情報を参照して、取得先が監視拠点１−ｎであることを認識し、監視拠点１−ｎにおけるイベント管理部２０との通信を確立する際に必要な接続情報の出力を接続情報管理部５１に指示する。
【００６３】
接続情報管理部５１は、操作制御部５３の指示の下、監視拠点１−ｎにおけるイベント管理部２０との通信を確立する際に必要な接続情報（例えば、監視拠点１−ｎにおけるイベント管理部２０のアドレス情報）を情報送受信部５２に出力する。
情報送受信部５２は、接続情報管理部５１から出力された接続情報を参照して、監視拠点１−ｎにおけるイベント管理部２０との通信を確立し、検索条件を含むイベント取得要求をネットワーク２経由で監視拠点１−ｎのイベント管理部２０に送信する（ステップＳＴ２２）。
【００６４】
監視拠点１−ｎに設置されているイベント管理部２０のイベント情報検索部２３は、映像取得センタ４から検索条件を含むイベント取得要求を受信すると、上記実施の形態１と同様に、イベント情報保存部２１により保存されているイベント情報の中から、そのイベント取得要求に含まれている検索条件に合致するイベント情報を検索する処理を実施する。
即ち、イベント情報検索部２３は、イベント取得要求に含まれている検索条件とイベント属性情報保存部２２により保存されているイベント属性情報を照合して、その検索条件に合致するイベント情報を検索する。
【００６５】
イベント管理部２０のイベント情報送信部２４は、イベント情報検索部２３が検索条件に合致する少なくとも１つ以上のイベント情報を検索すると、それらのイベント情報を含むイベント取得応答をネットワーク２経由で映像取得センタ４に送信する（ステップＳＴ２３）。
なお、イベント情報送信部２４は、イベント情報を含むイベント取得応答を送信する際、そのイベント情報に係るイベント属性情報をイベント取得応答に含めて、そのイベント属性情報を含むイベント取得応答を送信するようにしてもよい。
【００６６】
映像取得センタ４の情報送受信部５２は、監視拠点１−ｎに設置されているイベント管理部２０からイベント取得応答を受信すると、操作制御部５３の指示の下、そのイベント取得応答を映像取得拠点５−ｍに転送する（ステップＳＴ２４）。
映像取得拠点５−ｍの情報送受信部６２は、映像取得センタ４からイベント取得応答を受信すると、そのイベント取得応答を操作受付部６３に出力する。
操作受付部６３は、情報送受信部６２からイベント取得応答を受けると、そのイベント取得応答に含まれているイベント情報やイベント属性情報を画面上にリスト表示する。
これにより、ユーザが画面上にリスト表示されているイベント情報やイベント属性情報を見て、所望のイベント情報があれば、操作受付部６３を操作して、所望のイベント情報（１つ又は複数のイベント情報）を選択する。
【００６７】
操作受付部６３は、所望のイベント情報の選択を受け付け、そのイベント情報の識別情報を含む映像情報取得要求の送信を情報送受信部６２に指示する。
情報送受信部６２は、操作受付部６３の指示の下、イベント情報の識別情報を含む映像情報取得要求をネットワーク２経由で映像取得センタ４に送信する（ステップＳＴ２５）。
映像取得センタ４の情報送受信部５２は、映像取得拠点５−ｍからイベント情報の識別情報を含む映像情報取得要求を受信すると、その映像情報取得要求を監視拠点１−ｎのイベント管理部２０に転送する（ステップＳＴ２６）。
【００６８】
監視拠点１−ｎに設置されているイベント管理部２０のイベント属性情報取得部２５は、映像取得センタ４からイベント情報の識別情報を含む映像情報取得要求を受信すると、上記実施の形態１と同様に、イベント属性情報保存部２２により保存されているイベント属性情報の中から、その映像情報取得要求に含まれている識別情報が示すイベント情報に対応する映像情報を示す対応関係情報（イベント属性情報）を取得する。
イベント属性情報取得部２５は、映像情報を示す対応関係情報を取得すると、上記実施の形態１と同様に、その対応関係情報を含む映像情報転送要求をＬＡＮ３０経由で監視拠点１−ｎ内の映像管理部１０に送信する（ステップＳＴ２７）。
【００６９】
ただし、イベント属性情報取得部２５は、必要に応じて、その識別情報が示すイベント情報の時刻情報を基準とする映像情報の取得時間範囲（例えば、イベント情報の時刻情報が示す時刻より一定時刻前〜イベント情報の時刻情報が示す時刻より一定時刻後の範囲）を示す時刻情報を映像情報転送要求に含め、その時刻情報を含む映像情報転送要求を映像管理部１０に送信する。
なお、イベント属性情報取得部２５は、映像管理部１０との通信を確立する際に必要な接続情報（例えば、映像管理部１０のアドレス情報）を管理しており、映像情報転送要求を映像管理部１０に送信するに際して、その接続情報を参照して、映像管理部１０との通信を確立する。
【００７０】
映像管理部１０の映像情報取得部１３は、イベント管理部２０のイベント属性情報取得部２５から映像情報転送要求を受信すると、上記実施の形態１と同様に、位置情報管理部１２から映像情報転送要求に含まれている対応関係情報が示す映像情報の保存位置を示す位置情報を取得する。
映像情報取得部１３は、映像情報の保存位置を示す位置情報を取得すると、映像情報保存部１１により保存されている映像情報の中から、その位置情報が示す位置に保存されている映像情報を取得する。
ただし、映像情報取得部１３は、映像情報の取得時間範囲を示す時刻情報が映像情報転送要求に含まれている場合、その取得時間範囲内の映像情報のみを取得する。
映像情報取得部１３は、映像情報の取得時間範囲を示す時刻情報が映像情報転送要求に含まれていない場合、システムで固定的に設定されている範囲内の映像情報のみを取得するようにしてもよい。
【００７１】
映像管理部１０の映像情報送信部１４は、映像情報取得部１３が映像情報を取得すると、その映像情報を含む映像情報転送応答をイベント管理部２０のイベント情報送信部２４に送信する（ステップＳＴ２８）。
イベント管理部２０のイベント情報送信部２４は、映像情報送信部１４から映像情報転送応答を受信すると、その映像情報転送応答を映像情報取得応答として映像取得センタ４に転送する（ステップＳＴ２９）。
ここでは、映像管理部１０の映像情報送信部１４が映像情報を含む映像情報転送応答をイベント管理部２０のイベント情報送信部２４に送信し、イベント管理部２０のイベント情報送信部２４が映像情報転送応答を映像情報取得応答として映像取得センタ４に転送するものについて示したが、映像管理部１０の映像情報送信部１４が、直接、映像情報を含む映像情報取得応答を映像取得センタ４に送信するようにしてもよい。
【００７２】
また、映像管理部１０の映像情報送信部１４又はイベント管理部２０のイベント情報送信部２４が、映像情報を含む映像情報取得応答を映像取得センタ４に送信する際、その映像情報の間引き処理を実施して、間引き処理後の映像情報を映像情報取得応答に含めることで、送信情報量を削減して、ネットワーク２の負荷を軽減するようにしてもよい。
あるいは、映像管理部１０の映像情報送信部１４又はイベント管理部２０のイベント情報送信部２４が、映像情報の圧縮処理を実施し（映像情報保存部１１により保存されている状態よりも高い圧縮比で、映像情報の再圧縮を行うか、圧縮効率が高い符号化方式で、映像情報の変換再符号化を行う）、圧縮処理後の映像情報を映像情報取得応答に含めることで、送信情報量を削減して、ネットワーク２の負荷を軽減するようにしてもよい。
【００７３】
映像取得センタ４の情報送受信部５２は、監視拠点１−ｎに設置されているイベント管理部２０から映像情報を含む映像情報取得応答を受信すると、操作制御部５３の指示の下、その映像情報取得応答を映像取得拠点５−ｍに転送する（ステップＳＴ３０）。
【００７４】
映像取得拠点５−ｍの情報送受信部６２は、映像取得センタ４から映像情報を含む映像情報取得応答を受信すると、その映像情報取得応答を操作受付部６３に出力する。
操作受付部６３は、情報送受信部６２から映像情報取得応答を受けると、その映像情報取得応答に含まれている映像情報を映像情報格納部６４に格納する。
また、操作受付部６３は、その映像情報取得応答に含まれている映像情報を復号して、その映像情報が示す映像を表示する。
なお、図８が示すシーケンスは一例に過ぎず、他のシーケンスで映像情報を送信するようにしてもよい。
【００７５】
以上で明らかなように、この実施の形態３によれば、ネットワーク２に接続されている不特定多数の映像取得拠点５−ｍが、映像取得センタ４を介して、監視拠点１−ｎにより保存されている映像情報を取得するように構成したので、上記実施の形態１と同様の効果が得られるほかに、ユーザが映像取得センタ４まで出向かなくても、映像情報を取得して映像を確認することができるようになり、ユーザの作業効率を高めることができる効果を奏する。
【００７６】
実施の形態４．
図９はこの発明の実施の形態４による遠隔映像取得システムの監視拠点１−ｎ（ｎ＝１，２，・・・，Ｎ）、映像取得センタ４及び映像取得拠点５−ｍ（ｍ＝１，２，・・・，Ｍ）の内部を示す構成図であり、図において、図４及び図７と同一符号は同一又は相当部分を示すので説明を省略する。
図１０はこの発明の実施の形態４による遠隔映像取得システムの映像取得処理を示すシーケンス図である。
【００７７】
次に動作について説明する。
上記実施の形態３では、映像管理部１０とイベント管理部２０から監視拠点１−ｎが構成されているものについて示したが、図９に示すように、映像管理部１０とイベント管理部２０が一体化されている映像イベント管理部３１を用いて、監視拠点１−ｎが構成されるようにしてもよい。
以下、具体的な処理内容を説明する。
【００７８】
監視拠点１−ｎに保存されている映像情報を取得する場合、上記実施の形態１と同様に、ユーザが映像取得拠点５−ｍの操作受付部６３を操作して、監視拠点１−１〜１−Ｎの中から、取得対象の映像情報が保存されている監視拠点１−ｎを指定する。
操作受付部６３は、ユーザが監視拠点１−ｎを指定すると、映像取得センタ４における情報送受信部５２との通信を確立する際に必要な接続情報の出力を接続情報管理部６１に指示する。
接続情報管理部６１は、操作受付部６３の指示の下、映像取得センタ４における情報送受信部５２との通信を確立する際に必要な接続情報（例えば、映像取得センタ４における情報送受信部５２のアドレス情報）を情報送受信部６２に出力する。
【００７９】
また、ユーザは、操作受付部６３を操作して、所望のイベント情報の検索に用いる検索条件を設定する。
例えば、検索条件として、イベントの種類（例えば、不審者の侵入、火災の発生）、イベントの発生時刻、イベント情報の識別情報などを設定する。
操作受付部６３は、ユーザにより設定された検索条件を受け付けて、その検索条件と取得先情報（監視拠点１−ｎを示す情報）を含むイベント取得要求の送信を情報送受信部６２に指示する。
情報送受信部６２は、接続情報管理部６１から出力された接続情報を参照して、映像取得センタ４における情報送受信部５２との通信を確立し、操作受付部６３から出力された検索条件と取得先情報を含むイベント取得要求をネットワーク２経由で映像取得センタ４の情報送受信部５２に送信する（ステップＳＴ３１）。
【００８０】
映像取得センタ４の情報送受信部５２は、映像取得拠点５−ｍから検索条件と取得先情報を含むイベント取得要求を受信すると、そのイベント取得要求に含まれている取得先情報を操作制御部５３に出力する。
操作制御部５３は、情報送受信部５２から取得先情報を受けると、その取得先情報を参照して、取得先が監視拠点１−ｎであることを認識し、監視拠点１−ｎにおける映像イベント管理部３１との通信を確立する際に必要な接続情報の出力を接続情報管理部５１に指示する。
【００８１】
接続情報管理部５１は、操作制御部５３の指示の下、監視拠点１−ｎにおける映像イベント管理部３１との通信を確立する際に必要な接続情報（例えば、監視拠点１−ｎにおける映像イベント管理部３１のアドレス情報）を情報送受信部５２に出力する。
情報送受信部５２は、接続情報管理部５１から出力された接続情報を参照して、監視拠点１−ｎにおける映像イベント管理部３１との通信を確立し、検索条件を含むイベント取得要求をネットワーク２経由で監視拠点１−ｎの映像イベント管理部３１に送信する（ステップＳＴ３２）。
【００８２】
監視拠点１−ｎに設置されている映像イベント管理部３１のイベント情報検索部２３は、映像取得センタ４から検索条件を含むイベント取得要求を受信すると、上記実施の形態１と同様に、イベント情報保存部２１により保存されているイベント情報の中から、そのイベント取得要求に含まれている検索条件に合致するイベント情報を検索する処理を実施する。
即ち、イベント情報検索部２３は、イベント取得要求に含まれている検索条件とイベント属性情報保存部２２により保存されているイベント属性情報を照合して、その検索条件に合致するイベント情報を検索する。
【００８３】
映像イベント管理部３１のイベント情報送信部２４は、イベント情報検索部２３が検索条件に合致する少なくとも１つ以上のイベント情報を検索すると、それらのイベント情報を含むイベント取得応答をネットワーク２経由で映像取得センタ４に送信する（ステップＳＴ３３）。
なお、イベント情報送信部２４は、イベント情報を含むイベント取得応答を送信する際、そのイベント情報に係るイベント属性情報をイベント取得応答に含めて、そのイベント属性情報を含むイベント取得応答を送信するようにしてもよい。
【００８４】
映像取得センタ４の情報送受信部５２は、監視拠点１−ｎに設置されている映像イベント管理部３１からイベント取得応答を受信すると、操作制御部５３の指示の下、そのイベント取得応答を映像取得拠点５−ｍに転送する（ステップＳＴ３４）。
映像取得拠点５−ｍの情報送受信部６２は、映像取得センタ４からイベント取得応答を受信すると、そのイベント取得応答を操作受付部６３に出力する。
操作受付部６３は、情報送受信部６２からイベント取得応答を受けると、そのイベント取得応答に含まれているイベント情報やイベント属性情報を画面上にリスト表示する。
これにより、ユーザが画面上にリスト表示されているイベント情報やイベント属性情報を見て、所望のイベント情報があれば、操作受付部６３を操作して、所望のイベント情報（１つ又は複数のイベント情報）を選択する。
【００８５】
操作受付部６３は、所望のイベント情報の選択を受け付け、そのイベント情報の識別情報を含む映像情報取得要求の送信を情報送受信部６２に指示する。
情報送受信部６２は、操作受付部６３の指示の下、イベント情報の識別情報を含む映像情報取得要求をネットワーク２経由で映像取得センタ４に送信する（ステップＳＴ３５）。
映像取得センタ４の情報送受信部５２は、映像取得拠点５−ｍからイベント情報の識別情報を含む映像情報取得要求を受信すると、その映像情報取得要求を監視拠点１−ｎの映像イベント管理部３１に転送する（ステップＳＴ３６）。
【００８６】
監視拠点１−ｎに設置されている映像イベント管理部３１のイベント属性情報取得部２５は、映像取得センタ４からイベント情報の識別情報を含む映像情報取得要求を受信すると、上記実施の形態１と同様に、イベント属性情報保存部２２により保存されているイベント属性情報の中から、その映像情報取得要求に含まれている識別情報が示すイベント情報に対応する映像情報を示す対応関係情報（イベント属性情報）を取得する。
イベント属性情報取得部２５は、映像情報を示す対応関係情報を取得すると、その対応関係情報を映像情報取得部１３に出力する。
ただし、イベント属性情報取得部２５は、必要に応じて、その識別情報が示すイベント情報の時刻情報を基準とする映像情報の取得時間範囲（例えば、イベント情報の時刻情報が示す時刻より一定時刻前〜イベント情報の時刻情報が示す時刻より一定時刻後の範囲）を示す時刻情報を映像情報取得部１３に出力する。
【００８７】
映像イベント管理部３１の映像情報取得部１３は、イベント属性情報取得部２５から対応関係情報を受けると、位置情報管理部１２から当該対応関係情報が示す映像情報の保存位置を示す位置情報を取得する。
映像情報取得部１３は、映像情報の保存位置を示す位置情報を取得すると、映像情報保存部１１により保存されている映像情報の中から、その位置情報が示す位置に保存されている映像情報を取得する。
ただし、映像情報取得部１３は、イベント属性情報取得部２５から対応関係情報と一緒に映像情報の取得時間範囲を示す時刻情報を受けている場合、その取得時間範囲内の映像情報のみを取得する。
映像情報取得部１３は、映像情報の取得時間範囲を示す時刻情報が受けていない場合、システムで固定的に設定されている範囲内の映像情報のみを取得するようにしてもよい。
【００８８】
映像イベント管理部３１の映像情報送信部１４は、映像情報取得部１３が映像情報を取得すると、その映像情報を含む映像情報取得応答を映像取得センタ４に送信する（ステップＳＴ３７）。
また、映像イベント管理部３１の映像情報送信部１４が、映像情報を含む映像情報取得応答を送信する際、その映像情報の間引き処理を実施して、間引き処理後の映像情報を映像情報取得応答に含めることで、送信情報量を削減して、ネットワーク２の負荷を軽減するようにしてもよい。
あるいは、映像イベント管理部３１の映像情報送信部１４が、映像情報の圧縮処理を実施し（映像情報保存部１１により保存されている状態よりも高い圧縮比で、映像情報の再圧縮を行うか、圧縮効率が高い符号化方式で、映像情報の変換再符号化を行う）、圧縮処理後の映像情報を映像情報取得応答に含めることで、送信情報量を削減して、ネットワーク２の負荷を軽減するようにしてもよい。
【００８９】
映像取得センタ４の情報送受信部５２は、監視拠点１−ｎに設置されている映像イベント管理部３１から映像情報を含む映像情報取得応答を受信すると、操作制御部５３の指示の下、その映像情報取得応答を映像取得拠点５−ｍに転送する（ステップＳＴ３８）。
【００９０】
映像取得拠点５−ｍの情報送受信部６２は、映像取得センタ４から映像情報を含む映像情報取得応答を受信すると、その映像情報取得応答を操作受付部６３に出力する。
操作受付部６３は、情報送受信部６２から映像情報取得応答を受けると、その映像情報取得応答に含まれている映像情報を映像情報格納部６４に格納する。
また、操作受付部６３は、その映像情報取得応答に含まれている映像情報を復号して、その映像情報が示す映像を表示する。
なお、図１０が示すシーケンスは一例に過ぎず、他のシーケンスで映像情報を送信するようにしてもよい。
【００９１】
以上で明らかなように、この実施の形態４によれば、ネットワーク２に接続されている不特定多数の映像取得拠点５−ｍが、映像取得センタ４を介して、監視拠点１−ｎにより保存されている映像情報を取得するように構成したので、上記実施の形態１と同様の効果が得られるほかに、ユーザが映像取得センタ４まで出向かなくても、映像情報を取得して映像を確認することができるようになり、ユーザの作業効率を高めることができる効果を奏する。
また、この実施の形態４によれば、映像イベント管理部３１が、図７の映像管理部１０とイベント管理部２０が一体化されたものに相当するため、イベント属性情報取得部２５が対応関係情報を映像情報取得部１３に与える際、イベント属性情報取得部２５と映像情報取得部１３間の通信を確立するなどの処理が不要になるため、映像情報の取得に要する時間を短縮することができる効果が得られる。
【００９２】
実施の形態５．
図１１はこの発明の実施の形態５による遠隔映像取得システムの監視拠点１−ｎ（ｎ＝１，２，・・・，Ｎ）、映像取得センタ４及び映像取得拠点５−ｍ（ｍ＝１，２，・・・，Ｍ）の内部を示す構成図であり、図において、図７と同一符号は同一又は相当部分を示すので説明を省略する。
イベント管理部７０は映像取得センタ４に設置され、図７のイベント管理部２０と同様に、イベント情報保存部２１、イベント属性情報保存部２２、イベント情報検索部２３、イベント情報送信部２４及びイベント属性情報取得部２５から構成されており、全ての監視拠点１−１〜１−Ｎにおける監視対象に関するイベント（例えば、侵入者の検知を示すイベント）を示すイベント情報等を管理している。
なお、イベント管理部７０は映像取得センタ４内のＬＡＮ７１に接続されている。
図１２はこの発明の実施の形態５による遠隔映像取得システムの映像取得処理を示すシーケンス図である。
【００９３】
次に動作について説明する。
上記実施の形態３では、映像管理部１０とイベント管理部２０が監視拠点１−ｎに設置されているものについて示したが、図１１に示すように、映像管理部１０が監視拠点１−ｎに設置され、イベント管理部７０が映像取得センタ４に設置されているようにしてもよい。
以下、具体的な処理内容を説明する。
【００９４】
監視拠点１−ｎに保存されている映像情報を取得する場合、上記実施の形態３と同様に、ユーザが映像取得拠点５−ｍの操作受付部６３を操作して、監視拠点１−１〜１−Ｎの中から、取得対象の映像情報が保存されている監視拠点１−ｎを指定する。
操作受付部６３は、ユーザが監視拠点１−ｎを指定すると、映像取得センタ４における情報送受信部５２との通信を確立する際に必要な接続情報の出力を接続情報管理部６１に指示する。
接続情報管理部６１は、操作受付部６３の指示の下、映像取得センタ４における情報送受信部５２との通信を確立する際に必要な接続情報（例えば、映像取得センタ４における情報送受信部５２のアドレス情報）を情報送受信部６２に出力する。
【００９５】
また、ユーザは、操作受付部６３を操作して、所望のイベント情報の検索に用いる検索条件を設定する。
例えば、検索条件として、イベントの種類（例えば、不審者の侵入、火災の発生）、イベントの発生時刻、イベント情報の識別情報などを設定する。
操作受付部６３は、ユーザにより設定された検索条件を受け付けて、その検索条件と取得先情報（監視拠点１−ｎを示す情報）を含むイベント取得要求の送信を情報送受信部６２に指示する。
情報送受信部６２は、接続情報管理部６１から出力された接続情報を参照して、映像取得センタ４における情報送受信部５２との通信を確立し、操作受付部６３から出力された検索条件と取得先情報を含むイベント取得要求をネットワーク２経由で映像取得センタ４の情報送受信部５２に送信する（ステップＳＴ４１）。
【００９６】
映像取得センタ４の情報送受信部５２は、映像取得拠点５−ｍから検索条件と取得先情報を含むイベント取得要求を受信すると、そのイベント取得要求に含まれている取得先情報を操作制御部５３に出力する。
操作制御部５３は、情報送受信部５２から取得先情報を受けると、その取得先情報を参照して、取得先が監視拠点１−ｎであることを認識し、映像取得センタ４におけるイベント管理部７０との通信を確立する際に必要な接続情報の出力を接続情報管理部５１に指示する。
【００９７】
接続情報管理部５１は、操作制御部５３の指示の下、映像取得センタ４におけるイベント管理部７０との通信を確立する際に必要な接続情報（例えば、映像取得センタ４におけるイベント管理部２０のアドレス情報）を情報送受信部５２に出力する。
情報送受信部５２は、接続情報管理部５１から出力された接続情報を参照して、映像取得センタ４におけるイベント管理部７０との通信を確立し、検索条件を含むイベント取得要求をＬＡＮ７１経由で映像取得センタ４のイベント管理部７０に送信する（ステップＳＴ４２）。
【００９８】
イベント管理部７０のイベント情報検索部２３は、情報送受信部５２から検索条件を含むイベント取得要求を受信すると、上記実施の形態３と同様に、イベント情報保存部２１により保存されているイベント情報の中から、そのイベント取得要求に含まれている検索条件に合致するイベント情報を検索する処理を実施する。
即ち、イベント情報検索部２３は、イベント取得要求に含まれている検索条件とイベント属性情報保存部２２により保存されているイベント属性情報を照合して、その検索条件に合致するイベント情報を検索する。
【００９９】
イベント管理部７０のイベント情報送信部２４は、イベント情報検索部２３が検索条件に合致する少なくとも１つ以上のイベント情報を検索すると、それらのイベント情報を含むイベント取得応答をＬＡＮ７１経由で映像取得センタ４の情報送受信部５２に送信する（ステップＳＴ４３）。
なお、イベント情報送信部２４は、イベント情報を含むイベント取得応答を送信する際、そのイベント情報に係るイベント属性情報をイベント取得応答に含めて、そのイベント属性情報を含むイベント取得応答を送信するようにしてもよい。
【０１００】
映像取得センタ４の情報送受信部５２は、イベント管理部７０からイベント取得応答を受信すると、操作制御部５３の指示の下、そのイベント取得応答を映像取得拠点５−ｍに転送する（ステップＳＴ４４）。
映像取得拠点５−ｍの情報送受信部６２は、映像取得センタ４からイベント取得応答を受信すると、そのイベント取得応答を操作受付部６３に出力する。
操作受付部６３は、情報送受信部６２からイベント取得応答を受けると、そのイベント取得応答に含まれているイベント情報やイベント属性情報を画面上にリスト表示する。
これにより、ユーザが画面上にリスト表示されているイベント情報やイベント属性情報を見て、所望のイベント情報があれば、操作受付部６３を操作して、所望のイベント情報（１つ又は複数のイベント情報）を選択する。
【０１０１】
操作受付部６３は、所望のイベント情報の選択を受け付け、そのイベント情報の識別情報を含む映像情報取得要求の送信を情報送受信部６２に指示する。
情報送受信部６２は、操作受付部６３の指示の下、イベント情報の識別情報を含む映像情報取得要求をネットワーク２経由で映像取得センタ４の情報送受信部５２に送信する（ステップＳＴ４５）。
映像取得センタ４の情報送受信部５２は、映像取得拠点５−ｍからイベント情報の識別情報を含む映像情報取得要求を受信すると、その映像情報取得要求をＬＡＮ７１経由で映像取得センタ４のイベント管理部７０に転送する（ステップＳＴ４６）。
【０１０２】
イベント管理部７０のイベント属性情報取得部２５は、映像取得センタ４からイベント情報の識別情報を含む映像情報取得要求を受信すると、イベント属性情報保存部２２により保存されているイベント属性情報の中から、その映像情報取得要求に含まれている識別情報が示すイベント情報に対応する映像情報を示す対応関係情報（イベント属性情報）を取得する。
イベント属性情報取得部２５は、映像情報を示す対応関係情報を取得すると、その対応関係情報を含む映像情報転送要求をネットワーク２経由で監視拠点１−ｎの映像管理部１０に送信する（ステップＳＴ４７）。
【０１０３】
ただし、イベント属性情報取得部２５は、必要に応じて、その識別情報が示すイベント情報の時刻情報を基準とする映像情報の取得時間範囲（例えば、イベント情報の時刻情報が示す時刻より一定時刻前〜イベント情報の時刻情報が示す時刻より一定時刻後の範囲）を示す時刻情報を映像情報転送要求に含め、その時刻情報を含む映像情報転送要求を映像管理部１０に送信する。
なお、イベント属性情報取得部２５は、監視拠点１−ｎにおける映像管理部１０との通信を確立する際に必要な接続情報（例えば、監視拠点１−ｎにおける映像管理部１０のアドレス情報）を管理しており、映像情報転送要求を映像管理部１０に送信するに際して、その接続情報を参照して、監視拠点１−ｎにおける映像管理部１０との通信を確立する。
【０１０４】
監視拠点１−ｎに設置されている映像管理部１０の映像情報取得部１３は、イベント管理部７０のイベント属性情報取得部２５から映像情報転送要求を受信すると、上記実施の形態３と同様に、位置情報管理部１２から映像情報転送要求に含まれている対応関係情報が示す映像情報の保存位置を示す位置情報を取得する。
映像情報取得部１３は、映像情報の保存位置を示す位置情報を取得すると、映像情報保存部１１により保存されている映像情報の中から、その位置情報が示す位置に保存されている映像情報を取得する。
ただし、映像情報取得部１３は、映像情報の取得時間範囲を示す時刻情報が映像情報転送要求に含まれている場合、その取得時間範囲内の映像情報のみを取得する。
映像情報取得部１３は、映像情報の取得時間範囲を示す時刻情報が映像情報転送要求に含まれていない場合、システムで固定的に設定されている範囲内の映像情報のみを取得するようにしてもよい。
【０１０５】
映像管理部１０の映像情報送信部１４は、映像情報取得部１３が映像情報を取得すると、その映像情報を含む映像情報転送応答をネットワーク２経由で映像取得センタ４におけるイベント管理部７０のイベント情報送信部２４に送信する（ステップＳＴ４８）。
イベント管理部７０のイベント情報送信部２４は、映像管理部１０の映像情報送信部１４から映像情報転送応答を受信すると、その映像情報転送応答を映像情報取得応答としてＬＡＮ７１経由で映像取得センタ４の情報送受信部５２に転送する（ステップＳＴ４９）。
ここでは、映像管理部１０の映像情報送信部１４が映像情報を含む映像情報転送応答をイベント管理部７０のイベント情報送信部２４に送信し、イベント管理部７０のイベント情報送信部２４が映像情報転送応答を映像情報取得応答として映像取得センタ４の情報送受信部５２に転送するものについて示したが、映像管理部１０の映像情報送信部１４が、直接、映像情報を含む映像情報取得応答を映像取得センタ４の情報送受信部５２に送信するようにしてもよい。
【０１０６】
また、映像管理部１０の映像情報送信部１４が、映像情報を含む映像情報転送応答を映像取得センタ４の情報送受信部５２に送信する際、その映像情報の間引き処理を実施して、間引き処理後の映像情報を映像情報転送応答に含めることで、送信情報量を削減して、ネットワーク２の負荷を軽減するようにしてもよい。
あるいは、映像管理部１０の映像情報送信部１４が、映像情報の圧縮処理を実施し（映像情報保存部１１により保存されている状態よりも高い圧縮比で、映像情報の再圧縮を行うか、圧縮効率が高い符号化方式で、映像情報の変換再符号化を行う）、圧縮処理後の映像情報を映像情報転送応答に含めることで、送信情報量を削減して、ネットワーク２の負荷を軽減するようにしてもよい。
【０１０７】
映像取得センタ４の情報送受信部５２は、イベント管理部７０から映像情報を含む映像情報取得応答を受信すると、操作制御部５３の指示の下、その映像情報取得応答を映像取得拠点５−ｍに転送する（ステップＳＴ５０）。
【０１０８】
映像取得拠点５−ｍの情報送受信部６２は、映像取得センタ４から映像情報を含む映像情報取得応答を受信すると、その映像情報取得応答を操作受付部６３に出力する。
操作受付部６３は、情報送受信部６２から映像情報取得応答を受けると、その映像情報取得応答に含まれている映像情報を映像情報格納部６４に格納する。
また、操作受付部６３は、その映像情報取得応答に含まれている映像情報を復号して、その映像情報が示す映像を表示する。
なお、図１２が示すシーケンスは一例に過ぎず、他のシーケンスで映像情報を送信するようにしてもよい。
【０１０９】
以上で明らかなように、この実施の形態５によれば、映像管理部１０が監視拠点１−ｎに設置され、映像管理部１０よりも保存する情報量が少ないイベント管理部７０が映像取得センタ４に設置されるように構成したので、上記実施の形態３と同様の効果が得られるほかに、ネットワーク２の負荷を抑えながら、監視拠点１−ｎに配置される機器の数を削減することができる効果を奏する。
【０１１０】
実施の形態６．
図１３はこの発明の実施の形態６による遠隔映像取得システムの監視拠点１−ｎ（ｎ＝１，２，・・・，Ｎ）及び映像取得センタ３の内部を示す構成図であり、図において、図２と同一符号は同一又は相当部分を示すので説明を省略する。
映像生成部８１−１〜８１−Ｐは監視対象を撮影して、その監視対象の映像を示す映像情報を生成する処理を実施する。
映像生成部８１−１〜８１−Ｐにより生成された映像情報は映像情報保存部１１に保存される。なお、映像生成部８１−１〜８１−Ｐは映像生成手段を構成している。
時刻情報生成部１６は内部時計１５の時刻を参照して、映像情報の時刻情報を生成し、その時刻情報を位置情報管理部１２に保存する処理を実施する。
また、時刻情報生成部１６は内部時計１５の時刻を映像取得センタ３の外部時計４５の時刻に合わせる処理を実施する。なお、時刻情報生成部１６は時刻情報生成手段を構成している。
【０１１１】
イベント生成部８２−１〜８２−Ｑは監視対象で発生するイベントを検知して、そのイベントを示すイベント情報を生成する処理を実施する。
イベント生成部８２−１〜８２−Ｑにより生成されたイベント情報はイベント情報保存部２１に保存される。なお、イベント生成部８２−１〜８２−Ｑはイベント生成手段を構成している。
時刻情報生成部２７は内部時計２６の時刻を参照して、イベント情報の時刻情報を生成し、その時刻情報をイベント属性情報保存部２２に保存する処理を実施する。
また、時刻情報生成部２７は内部時計２６の時刻を映像取得センタ３の外部時計４５の時刻に合わせる処理を実施する。なお、時刻情報生成部２７は時刻情報生成手段を構成している。
【０１１２】
次に動作について説明する。
この実施の形態６では、映像生成部８１−１〜８１−Ｐ及びイベント生成部８２−１〜８２−Ｑが監視拠点１−ｎに設置されている例を説明する。
映像生成部８１−１〜８１−Ｐは、監視対象を撮影して、その監視対象の映像を示す映像情報を生成し、その映像情報を映像管理部１０の映像情報保存部１１に保存する。
映像生成部８１−１〜８１−Ｐにより生成される映像情報としては、非圧縮のアナログデータであってもよいし、ＪＰＥＧ（静止画の映像情報符号化方式）やＭＰＥＧ（動画の映像情報符号化方式）などの符号化方式で圧縮されたデジタルデータであってもよく、データ形式は特に問わない。
なお、映像生成部８１−１〜８１−Ｐにより生成された映像情報の符号化方式を他の符号化方式（例えば、当該システムで標準的に使用される映像情報符号化方式）に変更してから、映像情報保存部１１に保存するようにしてもよい。
【０１１３】
時刻情報生成部１６は、映像生成部８１−１〜８１−Ｐが映像情報を生成すると、内部時計１５の時刻を参照して、その映像情報の時刻情報を生成し、その時刻情報を位置情報管理部１２に保存する。
なお、時刻情報生成部１６は、映像情報の時刻情報を位置情報管理部１２に保存する際、映像情報保存部１１における映像情報の保存位置を示す位置情報や、その映像情報の生成元（映像生成部８１−１〜８１−Ｐ）を識別する識別情報なども位置情報管理部１２に保存する。
【０１１４】
内部時計１５は、年月日時分秒を管理する時計であり、時刻情報生成部１６が、例えば、一定の周期で、ネットワーク２経由で映像取得センタ３の外部時計４５の時刻を問い合わせることで、内部時計１５の時刻を映像取得センタ３の外部時計４５の時刻に合わせる処理を実施する。
これにより、内部時計１５と外部時計４５の時刻差が一定値（例えば、０．１秒）を越えないように維持される。
【０１１５】
イベント生成部８２−１〜８２−Ｑは、監視対象で発生するイベントを検知して、そのイベントを示すイベント情報を生成し、そのイベント情報をイベント管理部２０のイベント情報保存部２１に保存する。
時刻情報生成部２７は、イベント生成部８２−１〜８２−Ｑがイベント情報を生成すると、内部時計２６の時刻を参照して、イベント情報の時刻情報を生成し、その時刻情報をイベント属性情報保存部２２に保存する。
なお、時刻情報生成部２７は、イベント情報の時刻情報をイベント属性情報保存部２２に保存する際、イベント情報の種別を示す種別情報や、イベント情報の生成元（イベント生成部８２−１〜８２−Ｑ）を識別する識別情報などもイベント属性情報保存部２２に保存する。
【０１１６】
内部時計２６は、年月日時分秒を管理する時計であり、時刻情報生成部２７が、例えば、一定の周期で、ネットワーク２経由で映像取得センタ３の外部時計４５の時刻を問い合わせることで、内部時計２６の時刻を映像取得センタ３の外部時計４５の時刻に合わせる処理を実施する。
これにより、内部時計２６と外部時計４５の時刻差が一定値（例えば、０．１秒）を越えないように維持される。
したがって、時刻情報が同値である映像情報とイベント情報のずれは、実用上問題の無い値（例えば、最大０．２秒）に収めることが可能である。
【０１１７】
ここで、イベント情報としては、映像情報が示す映像を解析することで検知されたイベント（例えば、人物を検出）や、監視対象及びその近辺の状態変化や異常を監視するセンサによって検知されたイベントや、人又は物の移動を制限する設備によって検知されたイベントや、人又は物の移動を支援する設備によって検知されたイベントなどがある。
以下、イベントの具体例を説明する。
【０１１８】
イベントを検知するセンサとしては、例えば、人の接近を検知する人感センサ、熱や煙を検知する火災報知機、ガラスが割れる音や振動などを検知する車両防犯センサなどがある。
一般的には、これらのセンサの反応・非反応に対応するオン・オフを示す電気信号（接点信号）でイベントの発生通知が行われる。
また、監視対象の撮像内容の形状や特徴量、あるいは、それらの時間的な変化を解析することで、侵入や不正滞留などを検知する画像センサもある。
この画像センサによるイベントも、電気信号（接点信号）で通知されることがあるが、電気的通信手段でイベント情報が符号化されている場合が多く、より多様かつ詳細なイベント情報が通知される場合が多い。
【０１１９】
なお、これらのセンサは、一般に防犯や火災検知などを目的として使われることが多く、性質上、失報を少なくする運用、即ち、誤報の多い運用となる傾向がある。
更に、人物識別を行う画像センサを除けば、イベント情報の発生要因となる事象を特定しないため、単体では、その誤報原因を特定するのが難しい傾向がある。
これに対して、映像情報により誤報の要因を確認することで、誤報の削減策の検討に役立てることが可能である。
【０１２０】
人又は物の移動を制限する設備によって検知されたイベントは、センサによるイベントと同様に接点信号で通知されることがあるが、電気的通信手段でイベント情報が符号化されている場合が多く、より多様かつ詳細なイベント情報が通知される場合が多い。
人又は物の移動を制限する設備としては、例えば、通行対象の人又は物が、予め通行を許可された人又は物であれば、建物内の扉の開閉を行う入退室管理システムがある。
【０１２１】
入退室管理システムでは、イベント情報として、認証用カード操作や暗証番号入力などに伴う操作イベント、通行者に対して通行許可／不許可を与えたことを示す認証イベント、実際に扉が開閉して通過したことを示す通行イベント、不正に長時間扉が開いている場合や装置に対する破壊行為の検出などを含む警報イベントなどがある。
入退室管理システムは、企業等で外部者の侵入防止、内部者の勤怠管理や不正を統制する目的で導入される場合が多い。
入退室管理システムは、正規登録者の認証用カードなどを利用する「なりすまし」、正規登録者の通行の際に一緒に通行する「ともづれ」、不許可物品の持ち出しや持ち込みなどが、セキュリティ上の課題として認知されているが、出入り口（扉）を監視対象とする映像情報を証跡として残しておくことで、不正通行の証跡や正規登録者の正常通行時の証跡を保存することが可能となり、防犯機能（監視機能）強化や内部統制管理の強化に結びつけることが可能となる。
【０１２２】
入退室管理システムが発生するイベント情報は、人物を特定することが可能なイベント情報であることを特徴としている。
人物を特定するイベント情報としては、システムに登録された人物による正常な通行イベントや、各種の不正操作のイベントがある。
人物を特定しないイベント情報としては、システムに登録されていない人物による不正操作のイベントや、システム自体が発生する警報イベントなどがある。
【０１２３】
これらの多様なイベント情報に基づいて映像情報を取得することができるため、特定人物の通行時、もしくは、特定人物であると認証された人物の通行時の映像情報だけを、遠隔地で選択的に取得することが可能となる。
このように、遠隔映像取得システムに入退室管理システムのイベント情報を活用することで、人物特定の有無や正常／異常のイベント情報を用いて、映像情報の取得が可能となるため、内部統制管理の強化を実現することができるとともに、多拠点にまたがる企業や複数企業に対する集中管理が可能となる。
【０１２４】
また、人又は物の移動を制限する設備として、例えば、マンションなどの共用玄関において、通行対象の人又は物が、予め通行を許可された人又は物であれば、建物の出入り扉の開閉を行うインターホンシステムがある。
インターホンシステムでは、イベント情報として、例えば、共用玄関に設置されているインターホンによる部屋呼び出しや暗証番号入力などに伴う操作イベント、通行者に対して通行許可／不許可を与えたことを示す認証イベント、実際に扉が開閉して通過したことを示す通行イベント、不正に長時間扉が開いている場合や装置に対する破壊行為の検出などを含む警報イベント、インターホンに内蔵されている人感センサによる人物の接近認識イベント、インターホンで非常識に大きな音・声を認識（設定音量よりも大きな音・声を認識）した場合の異常音声認識イベントなどがある。
【０１２５】
インターホンシステムは、マンションなどで、居住者及び居住者に許可された人物以外の侵入防止を目的に導入される場合が多い。
インターホンシステムの場合も、入退室管理システムと同様に、人物を特定可能なイベント情報、即ち、居住者を特定可能なイベント情報を通知するものである。
居住者を特定可能なイベント情報による居住者通行時の「ともづれ」有無や、居住者の許可で出入りした者の確認、居住者と特定されないイベント情報によるマンションへの訪問動向などを、遠隔地で映像情報を用いて確認することが可能であるため、大規模マンション群や各地に分散している多くのマンションを管理する場合の管理作業の効率化が可能となる。
【０１２６】
また、人又は物の移動を制限する設備として、例えば、人又は物の接近を検知すると扉を開き、人又は物の通過を確認すると、扉を閉じる自動ドアや自動シャッターがある。
自動ドアや自動シャッターでは、イベント情報として、例えば、ドア・シャッターの施開錠イベント、ドア・シャッターの開閉イベント、異物が挟まるなどで扉が閉まらない場合や不正に長時間扉が開いている場合や装置に対する破壊行為の検出などを含む警報イベントなどがある。
【０１２７】
自動ドアや自動シャッターは、スーパーマーケットなどの商店や駐車場の出入り口などで、利用される場合が多い。
自動ドアや自動シャッターの場合、発生するイベント情報には、通常人物を特定する情報は含まれず、正常／異常の事象や、状態の変化を通知するイベント情報となる。
自動ドアや自動シャッターで発生するイベント情報を用いることで、通行者／通行車両の確認や、故障などの異常状態発生に至る状況を遠隔地で確認することが可能となるため、各地に分散している自動ドアや自動シャッターを管理する場合の管理作業の効率化が可能となる。
【０１２８】
また、人又は物の移動を制限する設備として、例えば、通行対象の人又は物が、予め通行を許可された人又は物であれば、鉄道駅構内の出入り扉の開閉を行う自動改札システムがある。
自動改札システムでは、イベント情報として、例えば、入退場カード（定期券、ストアードフェアカード、切符）による操作イベント、通行者に対して通行許可／不許可（区間不正、期間不正、料金不足など）を与えたことを示す認証イベント、実際に扉が開閉して通過したことを示す通行イベント、不正に通過が行われた場合などの警報イベントなどがある。
【０１２９】
自動改札システムの場合も、入退室管理システムと同様に、人物を特定可能なイベント情報（例えば、定期券の保有者を特定可能なイベント情報）を通知するものである。
人物を特定可能なイベント情報を用いることで、例えば、定期券の不正使用（入退室管理システムの「なりすまし」に相当）が発生したとき、過去に遡って、各地に分散している多数の駅での使用時の映像情報を遠隔地で取得することで、使用状況の確認を容易に行うことができる。
また、故障などの異常状態発生に至る状況を遠隔地で確認することが可能であるため、多数の駅を管理する場合の管理作業の効率化が可能となる。
【０１３０】
また、人又は物の移動を制限する設備として、例えば、列車が駅に停止している場合に限り、扉の開閉を行う鉄道駅構内のホーム柵システムがある。
ホーム柵システムでは、イベント情報として、例えば、鉄道駅への車両入場や通過のイベント、ドアの開閉イベント、異物が挟まるなどで扉が閉まらない場合などの警報イベントなどがある。
【０１３１】
ホーム柵システムの場合、発生するイベント情報には、通常人物を特定する情報は含まれず、正常／異常の事象や、状態の変化を通知するイベント情報となる。
ホーム柵システムで発生するイベント情報を用いることで、駅利用者の確認や、故障などの異常状態発生に至る状況を遠隔地で確認することが可能となるため、各地に分散しているホームドアを管理する場合の管理作業の効率化が可能となる。
【０１３２】
また、人又は物の移動を制限する設備として、例えば、列車が通過する際に扉の閉鎖を行う鉄道線路の踏切がある。
鉄道線路の踏切では、イベント情報として、例えば、車両入場や通過のイベント、踏切内での人・車両の滞留（停止）検知、人為的操作あるいは車両などの障害物の存在や異物が挟まるなどで遮断機が閉まらない場合などの警報イベントなどがある。
【０１３３】
鉄道線路の踏切の場合、発生するイベント情報には、通常人物を特定する情報は含まれず、正常／異常の事象や、状態の変化を通知するイベント情報となる。
鉄道線路の踏切で発生するイベント情報を用いることで、通行者／通行車両の確認や、故障などの異常状態発生に至る状況を遠隔地で確認することが可能となるため、各地に分散している踏切を管理する場合の管理作業の効率化が可能となる。
【０１３４】
人又は物の移動を支援する設備として、例えば、エレベータやエスカレータがある。
人又は物の移動を支援する設備がエレベータである場合、イベント情報として、例えば、エレベータの呼び寄せボタン操作イベント、停止階床通知イベント、ドアの開閉イベント、人為的操作や異物が挟まるなどで、扉が閉まらない場合などの警報イベントなどがある。
【０１３５】
エレベータの場合、発生するイベント情報には、通常人物を特定する情報は含まれず、正常／異常の事象や、状態の変化を通知するイベント情報となる。
エレベータで発生するイベント情報の特徴として、正常なイベントには、エレベータの呼び寄せ、行き先階床や停止階床などのエレベータのかごの位置及び動きを示す情報が含まれることがある。
エレベータで発生するイベント情報を用いることで、特定階床の利用者の映像情報を取得することが可能となる。このため、例えば、犯罪発生前後の状況確認に役立てることが可能となる。
また、緊急停止などを含む異常状態発生に至る状況を遠隔地で確認することが可能となるため、各地に分散しているエレベータを管理する場合の管理作業の効率化が可能となる。
【０１３６】
人又は物の移動を支援する設備がエスカレータである場合、イベント情報として、人の接近通知イベント、動作開始・停止イベント、緊急停止押しボタンの押下や異物が挟まるなどで緊急停止する異常停止イベントなどがある。
エスカレータの場合、発生するイベント情報には、通常人物を特定する情報は含まれず、正常／異常の事象や、状態の変化を通知するイベント情報となる。
エスカレータで発生するイベント情報を用いることで、利用者の確認や、故障や緊急停止などの異常状態発生に至る状況を遠隔地で確認することが可能となるため、各地に分散しているエレベータを管理する場合の管理作業の効率化が可能となる。
【０１３７】
以上で明らかなように、この実施の形態６によれば、時刻情報生成部１６，２７が内部時計１５，２６の時刻を参照して、映像情報又はイベント情報の時刻情報を生成するとともに、内部時計１５，２６の時刻を映像取得センタ３の外部時計４５の時刻に合わせるように構成したので、上記実施の形態１と同様の効果が得られるほかに、イベント情報と映像情報の対応付けを正確に行うことができる効果が得られる。
また、映像生成部８１−１〜８１−Ｐ及びイベント生成部８２−１〜８２−Ｑが時計機能を備えていない場合でも、映像管理部１０及びイベント管理部２０に収容することができる効果が得られる。
【０１３８】
なお、この実施の形態６では、映像取得センタ３が監視拠点１−ｎにより保存されている映像情報を取得するものについて示したが、図１４に示すように、ネットワーク２に接続されている不特定多数の映像取得拠点５−ｍが、映像取得センタ４を介して、監視拠点１−ｎにより保存されている映像情報を取得するようにしてもよい。
【０１３９】
実施の形態７．
図１５はこの発明の実施の形態７による遠隔映像取得システムの監視拠点１−ｎ（ｎ＝１，２，・・・，Ｎ）及び映像取得センタ３の内部を示す構成図であり、図において、図４及び図１３と同一符号は同一又は相当部分を示すので説明を省略する。
時刻情報生成部８４は内部時計８３の時刻を参照して、映像情報及びイベント情報の時刻情報を生成するとともに、その映像情報の時刻情報を位置情報管理部１２に保存し、そのイベント情報の時刻情報をイベント属性情報保存部２２に保存する処理を実施する。
また、時刻情報生成部８４は内部時計８３の時刻を映像取得センタ３の外部時計４５の時刻に合わせる処理を実施する。なお、時刻情報生成部８４は時刻情報生成手段を構成している。
【０１４０】
次に動作について説明する。
上記実施の形態６では、映像管理部１０とイベント管理部２０から監視拠点１−ｎが構成されているものについて示したが、図１５に示すように、映像管理部１０とイベント管理部２０が一体化されている映像イベント管理部３１を用いて、監視拠点１−ｎが構成されるようにしてもよい。
【０１４１】
映像生成部８１−１〜８１−Ｐは、上記実施の形態６と同様に、監視対象を撮影して、その監視対象の映像を示す映像情報を生成し、その映像情報を映像管理部１０の映像情報保存部１１に保存する。
イベント生成部８２−１〜８２−Ｑは、上記実施の形態６と同様に、監視対象で発生するイベントを検知して、そのイベントを示すイベント情報を生成し、そのイベント情報をイベント管理部２０のイベント情報保存部２１に保存する。
【０１４２】
時刻情報生成部８４は、映像生成部８１−１〜８１−Ｐが映像情報を生成すると、内部時計８３の時刻を参照して、その映像情報の時刻情報を生成し、その時刻情報を位置情報管理部１２に保存する。
また、時刻情報生成部８４は、イベント生成部８２−１〜８２−Ｑがイベント情報を生成すると、内部時計８３の時刻を参照して、イベント情報の時刻情報を生成し、その時刻情報をイベント属性情報保存部２２に保存する。
【０１４３】
なお、時刻情報生成部８４は、映像情報の時刻情報を位置情報管理部１２に保存する際、映像情報保存部１１における映像情報の保存位置を示す位置情報や、その映像情報の生成元（映像生成部８１−１〜８１−Ｐ）を識別する識別情報なども位置情報管理部１２に保存する。
また、時刻情報生成部８４は、イベント情報の時刻情報をイベント属性情報保存部２２に保存する際、イベント情報の種別を示す種別情報や、イベント情報の生成元（イベント生成部８２−１〜８２−Ｑ）を識別する識別情報などもイベント属性情報保存部２２に保存する。
【０１４４】
内部時計８３は、年月日時分秒を管理する時計であり、時刻情報生成部８４が、例えば、一定の周期で、ネットワーク２経由で映像取得センタ３の外部時計４５の時刻を問い合わせることで、内部時計８３の時刻を映像取得センタ３の外部時計４５の時刻に合わせる処理を実施する。
これにより、内部時計８３と外部時計４５の時刻差が一定値（例えば、０．１秒）を越えないように維持される。
この実施の形態７の場合、時刻情報生成部８４が時刻情報及びイベント情報の時刻情報を生成する際、同じ内部時計８３の時刻を参照しているので、時刻情報及びイベント情報の時刻情報にずれを生じることがない。
その他の処理は、上記実施の形態２，６と同様であるため説明を省略する。
【０１４５】
以上で明らかなように、この実施の形態７によれば、時刻情報生成部８４が内部時計８３の時刻を参照して、映像情報及びイベント情報の時刻情報を生成するとともに、内部時計８３の時刻を映像取得センタ３の外部時計４５の時刻に合わせるように構成したので、上記実施の形態２と同様の効果が得られるほかに、イベント情報と映像情報の対応付けを正確に行うことができる効果が得られる。
また、映像生成部８１−１〜８１−Ｐ及びイベント生成部８２−１〜８２−Ｑが時計機能を備えていない場合でも、映像イベント管理部３１に収容することができる効果が得られる。
【０１４６】
なお、この実施の形態７では、映像取得センタ３が監視拠点１−ｎにより保存されている映像情報を取得するものについて示したが、図１６に示すように、ネットワーク２に接続されている不特定多数の映像取得拠点５−ｍが、映像取得センタ４を介して、監視拠点１−ｎにより保存されている映像情報を取得するようにしてもよい。
【０１４７】
実施の形態８．
図１７はこの発明の実施の形態８による遠隔映像取得システムの監視拠点１−ｎ（ｎ＝１，２，・・・，Ｎ）、映像取得センタ４及び映像取得拠点５−ｍ（ｍ＝１，２，・・・，Ｍ）の内部を示す構成図であり、図において、図１１と同一符号は同一又は相当部分を示すので説明を省略する。
イベント送信部２８はイベント生成部８２−１〜８２−Ｑにより生成されたイベント情報をネットワーク２経由で映像取得センタ４に送信するとともに、時刻情報生成部２７により生成されたイベント情報の時刻情報や、イベント情報の種別を示す種別情報、イベント情報の生成元（イベント生成部８２−１〜８２−Ｑ）を識別する識別情報などをイベント属性情報として映像取得センタ４に送信する処理を実施する。
【０１４８】
次に動作について説明する。
上記実施の形態６では、映像管理部１０とイベント管理部２０が監視拠点１−ｎに設置されているものについて示したが、図１７に示すように、映像管理部１０が監視拠点１−ｎに設置され、イベント管理部７０が映像取得センタ４に設置されているようにしてもよい。
以下、具体的な処理内容を説明する。
【０１４９】
時刻情報生成部２７は、イベント生成部８２−１〜８２−Ｑがイベント情報を生成すると、上記実施の形態６と同様に、内部時計２６の時刻を参照して、イベント情報の時刻情報を生成する。
時刻情報生成部２７は、イベント情報の時刻情報を生成する際、イベント情報の種別を示す種別情報や、イベント情報の生成元（イベント生成部８２−１〜８２−Ｑ）を識別する識別情報なども生成する。
時刻情報生成部２７により生成されたイベント情報の時刻情報、イベント情報の種別を示す種別情報や、イベント情報の生成元（イベント生成部８２−１〜８２−Ｑ）を識別する識別情報などは、イベント属性情報としてイベント送信部２８に出力される。
【０１５０】
内部時計２６は、年月日時分秒を管理する時計であり、時刻情報生成部２７が、例えば、一定の周期で、ネットワーク２経由で映像取得センタ３の外部時計４５の時刻を問い合わせることで、内部時計２６の時刻を映像取得センタ３の外部時計４５の時刻に合わせる処理を実施する。
これにより、内部時計２６と外部時計４５の時刻差が一定値（例えば、０．１秒）を越えないように維持される。
したがって、時刻情報が同値である映像情報とイベント情報のずれは、実用上問題の無い値（例えば、最大０．２秒）に収めることが可能である。
【０１５１】
イベント送信部２８は、映像取得センタ４におけるイベント管理部７０との通信を確立する際に必要な接続情報（例えば、映像取得センタ４におけるイベント管理部７０のアドレス情報）を管理しており、イベント生成部８２−１〜８２−Ｑがイベント情報を生成すると、その接続情報を参照して、映像取得センタ４におけるイベント管理部７０との通信を確立する。
イベント送信部２８は、映像取得センタ４におけるイベント管理部７０との通信を確立すると、イベント生成部８２−１〜８２−Ｑにより生成されたイベント情報と時刻情報生成部２７から出力されたイベント属性情報をネットワーク２経由で映像取得センタ４のイベント管理部７０に送信する。
【０１５２】
映像取得センタ４に設置されているイベント管理部７０のイベント属性情報取得部２５は、イベント送信部２８から送信されたイベント情報及びイベント属性情報を受信すると、そのイベント情報をイベント情報保存部２１に保存し、そのイベント属性情報をイベント属性情報保存部２２に保存する。
その他の処理は、上記実施の形態６と同様であるため説明を省略する。
【０１５３】
以上で明らかなように、この実施の形態８によれば、映像管理部１０が監視拠点１−ｎに設置され、映像管理部１０よりも保存する情報量が少ないイベント管理部７０が映像取得センタ４に設置されるように構成したので、ネットワーク２の負荷を抑えながら、監視拠点１−ｎに配置される機器の数を削減することができる効果を奏する。
また、イベント送信部２８がイベント生成部８２−１〜８２−Ｑにより生成されたイベント情報と時刻情報生成部２７から出力されたイベント属性情報をネットワーク２経由で映像取得センタ４のイベント管理部７０に送信するように構成したので、イベント管理部７０が映像取得センタ４に設置されている場合でも、監視拠点１−ｎに設置されているイベント生成部８２−１〜８２−Ｑを収容することができる効果を奏する。
【符号の説明】
【０１５４】
１−１〜１−Ｎ  監視拠点、２  ネットワーク、３，４  映像取得センタ、５−１〜５−Ｍ  映像取得拠点、１０  映像管理部、１１  映像情報保存部（映像情報保存手段）、１２  位置情報管理部（映像情報保存手段）、１３  映像情報取得部（映像情報送信手段）、１４  映像情報送信部（映像情報送信手段）、１５  内部時計、１６  時刻情報生成部（時刻情報生成手段）、２１  イベント情報保存部（イベント情報保存手段）、２２  イベント属性情報保存部（イベント情報保存手段）、２３  イベント情報検索部（イベント情報検索手段）、２４  イベント情報送信部（イベント情報送信手段）、２５  イベント属性情報取得部（イベント属性情報取得手段）、２６  内部時計、２７  時刻情報生成部（時刻情報生成手段）、２８  イベント送信部、３０  ＬＡＮ、３１  映像イベント管理部、４１  接続情報管理部（イベント情報受信手段、映像情報取得要求手段）、４２  情報送受信部（イベント情報受信手段、映像情報取得要求手段）、４３  操作受付部（検索条件設定受付手段、イベント情報選択受付手段）、４４  映像情報格納部、５１  接続情報管理部（映像情報転送手段）、５２  情報送受信部（映像情報転送手段）、５３  操作制御部、６１  接続情報管理部（イベント情報受信手段、映像情報取得要求手段）、６２  情報送受信部（イベント情報受信手段、映像情報取得要求手段）、６３  操作受付部（検索条件設定受付手段、イベント情報選択受付手段）、６４  映像情報格納部、７０  イベント管理部、７１  ＬＡＮ、８１−１〜８１−Ｐ  映像生成部（映像生成手段）、８２−１〜８２−Ｑ  イベント生成部（イベント生成手段）、８３  内部時計、８４  時刻情報生成部（時刻情報生成手段）。
【図１】
2010272948.tif 000003
【図２】
2010272948.tif 000004
【図３】
2010272948.tif 000005
【図４】
2010272948.tif 000006
【図５】
2010272948.tif 000007
【図６】
2010272948.tif 000008
【図７】
2010272948.tif 000009
【図８】
2010272948.tif 000010
【図９】
2010272948.tif 000011
【図１０】
2010272948.tif 000012
【図１１】
2010272948.tif 000013
【図１２】
2010272948.tif 000014
【図１３】
2010272948.tif 000015
【図１４】
2010272948.tif 000016
【図１５】
2010272948.tif 000017
【図１６】
2010272948.tif 000018
【図１７】
2010272948.tif 000019